(57)【要約】  閉状態を視覚的に確認できる開閉デバイス。所定長にわたってインターロックできる第一と第二のファスナー条片。一方、両方のファスナー条片がデバイスの閉状態を視覚的に確認する表面変化個所を有する。この個所はデバイスが閉じると開又は閉じるスリットである。この個所は出現部内に伸長する。出現部の色はこの個所が開くと露出し、閉じると隠れる。この個所はエッジグロー材料内に伸長しこの箇所が開くとエッジグロー効果が生じる。この個所は不透明な側壁を通じて伸長し基部の色を露出する。この個所は一方、両方の基部の係合側、非係合側又は両側に設けられる。この個所は開閉要素に設けられる。デバイスが閉じるとデバイスが変形しこの個所が開又は閉じる。変形部はファスナー条片の内又は外向き変形部である。変形部によりデバイスの閉状態を触知できる。変形部は一方、両方のファスナー条片に形成される。ファスナー条片は変形部を多数含む。
2007537786.tif 000002
【特許請求の範囲】
【請求項１】
開閉デバイスであって、
所定の長さにわたってインターロックされるように配置したインターロック式の第一と第二のファスナー条片、
を含み、
前記第一のファスナー条片が、表面変化個所を有し、
当該開閉デバイスが閉状態にあることを視覚的に確認できるように、当該開閉デバイスが閉じると、前記表面変化個所が開き又は閉じる、
ところの開閉デバイス。
【請求項２】
請求項１の開閉デバイスであって、
前記表面変化個所が、発光材料からなり、
当該開閉デバイスが閉じると、前記表面変化個所が、明るく又は暗くなる、
ところの開閉デバイス。
【請求項３】
請求項２の開閉デバイスであって、
前記発光材料が、エッジグロー材料であり、
前記の視覚的な確認が、エッジグロー効果によるものである、
ところの開閉デバイス。
【請求項４】
請求項３の開閉デバイスであって、
前記の暗くなることが、何も出現しないことを含む、
ところの開閉デバイス。
【請求項５】
請求項１の開閉デバイスであって、
当該開閉デバイスが、
第一の材料、及び
第二の材料、
を含み、
前記表面変化個所が、前記第一の材料を通じて伸長し、前記第二の材料内に伸長する、
ところの開閉デバイス。
【請求項６】
請求項５の開閉デバイスであって、
前記表面変化個所が見えていて、前記表面変化個所が閉じられているときに、前記第二の材料が、隠されている、
ところの開閉デバイス。
【請求項７】
請求項６の開閉デバイスであって、
当該開閉デバイスが、容器の側壁の部分を含み、
前記第一の材料が、容器の側壁の部分であり、
前記第二の材料が、当該開閉デバイスの他の部分である、
ところの開閉デバイス。
【請求項８】
請求項６の開閉デバイスであって、
前記第一の材料が、前記第二の材料を包囲する、
ところの開閉デバイス。
【請求項９】
請求項６の開閉デバイスであって、
前記第一の材料と前記第二の材料が、同時押出成形されるものである、
ところの開閉デバイス。
【請求項１０】
請求項６の開閉デバイスであって、
前記第一の材料が不透明である、
ところの開閉デバイス。
【請求項１１】
請求項１０の開閉デバイスであって、
前記第二のファスナー条片が透明である、
ところの開閉デバイス。
【請求項１２】
請求項１の開閉デバイスであって、
前記第一のファスナー条片が、
係合側、及び
非係合側、
を有し、
前記表面変化個所が、前記第一のファスナー条片の前記係合側に設けられる、
ところの開閉デバイス。
【請求項１３】
請求項１の開閉デバイスであって、
前記第一のファスナー条片が、
係合側、及び
非係合側、
を有し、
前記表面変化個所が、前記第一のファスナー条片の前記非係合側に設けられる、
ところの開閉デバイス。
【請求項１４】
請求項１の開閉デバイスであって、
前記第一のファスナー条片が、
係合側、及び
非係合側、
を有し、
前記表面変化個所が、第一のファスナー条片の前記係合側に設けられ、
第二の表面変化個所が、前記非係合側に設けられる、
ところの開閉デバイス。
【請求項１５】
請求項１の開閉デバイスであって、
前記第一のファスナー条片が、複数の前記表面変化個所、
を含む開閉デバイス。
【請求項１６】
請求項１５の開閉デバイスであって、
前記第一のファスナー条片が、
係合側、及び
非係合側、
を有し、
前記表面変化個所が、前記係合側に設けられる、
ところの開閉デバイス。
【請求項１７】
請求項１５の開閉デバイスであって、
前記第一のファスナー条片が、
係合側、及び
非係合側、
を有し、
前記表面変化個所が、前記非係合側に設けられる、
ところの開閉デバイス。
【請求項１８】
請求項１５の開閉デバイスであって、
前記第一のファスナー条片が、
係合側、及び
非係合側、
を有し、
前記表面変化個所が、前記係合側と前記非係合側に設けられる、
ところの開閉デバイス。
【請求項１９】
請求項１の開閉デバイスであって、
前記第二のファスナー条片が、第二の表面変化個所を含む、
ところの開閉デバイス。
【請求項２０】
請求項１の開閉デバイスであって、
前記第一のファスナー条片が、当該開閉デバイスを閉じると形成される変形部を有し、
前記変形部により、前記表面変化個所が、第一の視覚的な状態から第二の視覚的な状態へ変化する、
ところの開閉デバイス。
【請求項２１】
請求項１の開閉デバイスであって、
前記第一のファスナー条片が、当該開閉デバイスを閉じると形成される変形部を有し、
前記変形部が、前記表面変化個所を開き又は閉じる、
ところの開閉デバイス。
【請求項２２】
請求項１の開閉デバイスであって、
前記第一のファスナー条片が、
基部、及び
開閉要素、
を含み、
前記表面変化個所が、前記基部に設けられる、
ところの開閉デバイス。
【請求項２３】
請求項１の開閉デバイスであって、
前記第一のファスナー条片が、
基部、及び
開閉要素、
を含み、
前記表面変化個所が、前記開閉要素に設けられる、
ところの開閉要素。
【請求項２４】
請求項１の開閉デバイスであって、
前記第一のファスナー条片が、
第一の開閉要素、及び
前記第一のファスナー条片から突き出す第一の翼部、
を含み、
前記第二のファスナー条片が、
前記第一の開閉要素と係合する第二の開閉要素、及び
前記第一の翼部と係合する第二の翼部、
を含み、
前記第一と第二のファスナー条片がインターロックすると、前記第一のファスナー条片が変形するように、前記第一の翼部が前記第二の翼部と係合し、
前記第一のファスナー条片の変形部により、前記表面変化個所が、第一の視覚的な状態から第二の視覚的な状態へ変化する、
ところの開閉デバイス。
【請求項２５】
請求項１の開閉デバイスであって、
前記第一のファスナー条片が、
前記第一のファスナー条片に一体的に取りつけられ、前記第一のファスナー条片から突き出し、前記第一のファスナー条片上に間隔をあけて位置した一対の第一の翼部、
を含み、
前記第二のファスナー条片が、
前記第二のファスナー条片に一体的に取り付けられ、前記第二のファスナー条片から突き出し、前記第一の翼部と係合するように、前記第二のファスナー条片上に間隔をあけて位置した一対の第二の翼部、
を含む、
ところの開閉デバイス。
【請求項２６】
請求項２４の開閉デバイスであって、
前記第一の開閉要素が、
前記第一のファスナー条片に一体的に取り付けられ、前記第一のファスナー条片から突出し、相互に間隔をあけた一対のウェブ、
を含み、
前記ウェブが、雄型のフック部を有し、
前記雄型のフック部が、相互に向き合った雄型のフック部の部分を含み、
前記第二の開閉要素が、
前記第二のファスナー条片に一体的に取り付けられ、前記第二のファスナー条片から突出し、相互に間隔をあけた一対のウェブ、
を含み、
前記ウェブが、雌型のフック部を有し、
前記雌型のフック部が、前記雄型のフック部と係合するように、相互に向き合った雌型のフック部の部分を含む、
ところの開閉デバイス。
【請求項２７】
請求項２６の開閉デバイスであって、
前記ファスナー条片の一方が、スペース部材を含む、
ところの開閉デバイス。
【請求項２８】
請求項１の開閉デバイスであって、
前記開閉要素が、
前記第一のファスナー条片に一体的に取り付けられ、前記第一のファスナー条片から突き出した第一のウェブ、
を含み、
前記第一のウェブが、アローヘッドを有する、
ところの開閉デバイス。
【請求項２９】
請求項２０の開閉デバイスであって、
前記変形部が、内向きの変形部である、
ところの開閉デバイス。
【請求項３０】
請求項２０の開閉デバイスであって、
前記変形部が、外向きの変形部である、
ところの開閉デバイス。
【請求項３１】
請求項１の開閉デバイスであって、
前記第一のファスナー条片が、
第一の開閉要素、
を含み、
前記第一の開閉要素が、
前記第一のファスナー条片に一体的に取り付けられ、前記第一のファスナー条片から突き出した第一のウェブ、
を含み、
前記第一のウェブが、アローヘッドを有する、
ところの開閉デバイス。
【請求項３２】
請求項３１の開閉デバイスであって、
前記表面変化個所が、前記アローヘッドに設けられる、
ところの開閉デバイス。
【請求項３３】
請求項３２の開閉デバイスであって、
当該開閉デバイスが閉じられると、前記表面変化個所が開く、
ところの開閉デバイス。
【請求項３４】
請求項３３の開閉デバイスであって、
前記表面変化個所が、発光材料からなり、
当該開閉デバイスが閉じられると、前記表面変化個所が、明るく又は暗くなる、
ところの開閉デバイス。
【請求項３５】
請求項３４の開閉デバイスであって、
前記発光材料が、エッジグロー材料であり、
前記の視覚的な確認がエッジグロー効果によるものである、
ところの開閉デバイス。
【請求項３６】
請求項３５の開閉デバイスであって、
前記の暗くなることが、全く出現しないことを含む、
ところの開閉デバイス。
【請求項３７】
請求項３２の開閉デバイスであって、
前記第一のファスナー条片が、
第一の材料、及び
第二の材料、
を含み、
前記表面変化個所が、前記第一の材料を通じて伸長し、前記第二の材料内に伸長する、
ところの開閉デバイス。
【請求項３８】
請求項３７の開閉デバイスであって、
前記表面変化個所が目視でき、前記表面変化個所が閉じると、前記第二の材料が隠される、
ところの開閉デバイス。
【請求項３９】
請求項３８の開閉デバイスであって、
当該開閉デバイスが、容器の側壁の部分を含み、
前記第一の材料が、容器の側壁の部分であり、
前記第二の材料が、当該開閉デバイスの他の部分である、
ところの開閉デバイス。
【請求項４０】
請求項３８の開閉デバイスであって、
前記第一の材料が、前記第二の材料を包囲する、
ところの開閉デバイス。
【請求項４１】
請求項３８の開閉デバイスであって、
前記第一の材料と前記第二の材料が同時押出成形される、
ところの開閉デバイス。
【請求項４２】
請求項３８の開閉デバイスであって、
前記第一の材料が不透明である、
ところの開閉デバイス。
【請求項４３】
請求項４２の開閉デバイスであって、
前記第二のファスナー条片が半透明である、
ところの開閉デバイス。
【請求項４４】
容器であって、
第一の側壁、及び
第二の側壁、
を含み、
前記第一と第二の側壁が、それぞれ、
それぞれ係合する第一と第二のファスナー条片、
を含み、
前記第一と第二のファスナー条片が、
所定の長さにわたってインターロックされるように配置された開閉デバイス、
を含み、
前記第一のファスナー条片が、表面変化個所を有し、
前記表面変化個所によって、前記開閉デバイスが閉状態にあることが視覚的に確認される、
ところの容器。
【請求項４５】
請求項４４の容器であって、
前記表面変化個所が、発光材料からなり、
前記開閉デバイスが閉じると、前記表面変化個所が明るく又は暗くなる、
ところの容器。
【請求項４６】
請求項４５の容器であって、
前記発光材料が、エッジグロー材料であり、
前記の視覚的な確認が、エッジグロー効果によるものである、
ところの容器。
【請求項４７】
請求項４６の容器であって、
前記の暗くなることが、何も出現しないことを含む、
ところの容器。
【請求項４８】
請求項４４の容器であって、
前記開閉デバイスが、
第一の材料、及び
第二の材料、
を含み、
前記表面変化個所が、前記第一の材料を通じて伸長し、前記第二の材料内に伸長する、
ところの容器。
【請求項４９】
請求項４８の容器であって、
前記表面変化個所が目視でき、前記表面変化個所が閉じられると、前記第二の材料が隠される、
ところの容器。
【請求項５０】
請求項４９の容器であって、
前記開閉デバイスが、前記第一の側壁の部分を含み、
前記第一の材料が、前記第一の俗へ気の部分であり、
前記第二の材料が、前記開閉デバイスの他の部分である、
ところの容器。
【請求項５１】
請求項４９の容器であって、
前記第一の材料が、前記第二の材料を包囲する、
ところの容器。
【請求項５２】
請求項４９の容器であって、
前記第一の材料と前記第二の材料が、同時押出成形される、
ところの容器。
【請求項５３】
請求項４９の容器であって、
前記第一の材料が、不透明である、
ところの容器。
【請求項５４】
請求項５３の容器であって、
前記第二のファスナー条片が、半透明である、
ところの容器。
【請求項５５】
請求項４４の容器であって、
前記第一のファスナー条片が、
係合側、及び
非係合側、
を有し、
前記表面変化個所が、前記第一のファスナー条片の前記係合側に設けられる、
ところの容器。
【請求項５６】
請求項４４の容器であって、
前記第一のファスナー条片が、
係合側、及び
非係合側、
を有し、
前記表面変化個所が、前記第一のファスナー条片の非係合側に設けられる、
ところの容器。
【請求項５７】
請求項４４の容器であって、
前記第一のファスナー条片が、
係合側、及び
非係合側、
を有し、
前記表面変化個所が、前記第一のファスナー条片の前記係合側に設けられ、
第二の表面変化個所が、前記非係合側に設けられる、
ところの容器。
【請求項５８】
請求項４４の容器であって、
前記第一のファスナー条片が、複数の前記表面変化個所を含む、
ところの容器。
【請求項５９】
請求項５８の容器であって、
前記第一のファスナー条片が、
係合側、及び
非係合側、
を有し、
前記表面変化個所が、前記係合側に設けられる、
ところの容器。
【請求項６０】
請求項５８の容器であって、
前記第一のファスナー条片が、
係合側、及び
非係合側、
を有し、
前記表面変化個所が、前記非係合側に設けられる、
ところの容器。
【請求項６１】
請求項５８の容器であって、
前記第一のファスナー条片が、
係合側、及び
非係合側、
を有し、
前記表面変化個所が、前記係合側と前記非係合側に設けられる、
ところの容器。
【請求項６２】
請求項４４の容器であって、
前記第二のファスナー条片が、第二の表面変化個所を含む、
ところの容器。
【請求項６３】
請求項４４の容器であって、
前記開閉デバイスが閉じると、前記第一のファスナー条片が変形部を有し、
前記変形部により、前記表面変化個所が、第一の視覚的な状態から第二の視覚的な状態へ変化する、
ところの容器。
【請求項６４】
請求項４４の容器であって、
前記開閉デバイスが閉じると、前記第一のファスナー条片が変形部を有し、
前記変形部が、前記表面変化個所を開き又は閉じる、
ところの容器。
【請求項６５】
請求項４４の容器であって、
前記第一のファスナー条片が、
基部、及び
開閉要素、
を含み、
前記表面変化個所が、前記基部に設けられる、
ところの容器。
【請求項６６】
請求項４４の容器であって、
前記第一のファスナー条片が、
基部、及び
開閉要素、
を含み、
前記表面変化個所が、前記開閉要素に設けられる、
ところの容器。
【請求項６７】
請求項４４の容器であって、
前記第一のファスナー条片が、
第一の開閉要素、及び
前記第一のファスナー条片から突き出した第一の翼部、
を含み、
前記第二のファスナー条片が、
前記第一の開閉要素と係合する第二の開閉要素、及び
前記第一の翼部と係合する第二の翼部、
を含み、
前記第一と第二のファスナー条片がインターロックすると、前記第一のファスナー条片の少なくとも一部が変形するように、前記第一の翼部が前記第二の翼部と係合し、
前記第一のファスナー条片の変形部により、前記表面変化個所が、第一の視覚的な状態から第二の視覚的な状態に変化する、
ところの容器。
【請求項６８】
請求項４４の容器であって、
前記第一のファスナー条片が、
前記第一のファスナー条片に一体的に取り付けられ、前記第一のファスナー条片から間隔をあけて突き出した一対の第一の翼部、
を含み、
前記第二のファスナー条片が、
前記第二のファスナー条片に一体的に取り付けられ、前記第一の翼部と係合するように前記第二のファスナー条片から間隔をあけて突き出した一対の第一の翼部、
を含む、
ところの容器。
【請求項６９】
請求項６７の容器であって、
前記第一の開閉要素が、
前記第一のファスナー条片に一体的に取り付けられ、前記第一のファスナー条片から間隔をあけて突き出した一対のウェブ、
を含み、
前記ウェブが、雄型のフック部を有し、
前記雄型のフック部が、相互に対面する雄型のフック部の部分を含み、
前記第二の開閉要素が、
前記第二のファスナー条片に一体的に取り付けられ、前記第二のファスナー条片から間隔をあけて突き出した一対のウェブ、
を有し、
前記ウェブが、雌型のフック部を有し、
前記雌型のフック部が、前記雄型のフック部と係合するように、相互に対面した雌型のフック部の部分を含む、
ところの容器。
【請求項７０】
請求項６９の容器であって、
前記ファスナー条片の一方が、スペース部材を含む、
ところの容器。
【請求項７１】
請求項４４の容器であって、
前記開閉要素が、
前記第一のファスナー条片に一体的に取り付けられ、前記第一のファスナー条片から突き出した第一のウェブ、
を含み、
前記第一のウェブが、アローヘッドを有する、
ところの容器。
【請求項７２】
請求項６３の容器であって、
前記変形部が、内向きの変形部である、
ところの容器。
【請求項７３】
請求項６３の容器であって、
前記変形部が、外向きの変形部である、
ところの容器。
【請求項７４】
請求項４４の容器であって、
前記第一のファスナー条片が、第一の開閉要素を含み、
前記第一の開閉要素が、前記第一のファスナー条片に一体的に取り付けられ、前記第一のファスナー条片から突き出した第一のウェブを含み、
前記第一のウェブが、アローヘッドを有する、
ところの容器。
【請求項７５】
請求項７４の容器であって、
前記表面変化個所が、前記アローヘッドに設けられる、
ところの容器。
【請求項７６】
請求項７５の容器であって、
前記開閉デバイスが閉じると、前記表面変化個所が開く、
ところの容器。
【請求項７７】
請求項７６の容器であって、
前記表面変化個所が、発光材料からなり、
前記開閉デバイスが閉じると、前記表面変化個所が、明るく又は暗くなる、
ところの容器。
【請求項７８】
請求項７７の容器であって、
前記発光材料が、エッジグロー材料からなり、
前記の視覚的な確認が、エッジグロー効果によりなされる、
ところの容器。
【請求項７９】
請求項７８の容器であって、
前記の暗くなることが、何も出現しないことを含む、
ところの容器。
【請求項８０】
請求項７５の容器であって、
前記第一のファスナー条片が、
第一の材料、及び
第二の材料、
を含み、
前記表面変化個所が、前記第一の材料を通じて伸長し、前記第二の材料内に伸長する、
ところの容器。
【請求項８１】
請求項８０の容器であって、
前記表面変化個所が目視でき、前記表面変化個所が閉じられると、前記第二の材料が隠される、
ところの容器。
【請求項８２】
請求項８１の容器であって、
前記開閉デバイスが、前記第一の側壁の部分を含み、
前記第一の材料が、前記第一の側壁の部分であり、
第二の表面変化個所が、前記開閉デバイスの他の部分に設けられる、
ところの容器。
【請求項８３】
請求項８１の容器であって、
前記第一の材料が、前記第二の材料を包囲する、
ところの容器。
【請求項８４】
請求項８１の容器であって、
前記第一の材料と前記第二の材料が、同時押出成形される、
ところの容器。
【請求項８５】
請求項８１の容器であって、
前記第一の材料が、不透明である、
ところの容器。
【請求項８６】
請求項８５の容器であって、
前記第二のファスナー条片が半透明である、
ところの容器。
【発明の詳細な説明】
【技術分野】
【０００１】
本発明は、インターロック式の開閉デバイスに関し、特に、閉状態を目視で視覚的に確認できる開閉デバイスに関する。また、このデバイスは閉状態を触知することもできる。本発明の開閉デバイスは、旧来のファスナーエリアに用いてもよく、特に、プラスチック製のバッグのような保存容器のファスナーとして使用するのに適するものである。
【背景技術】
【０００２】
プラスチック製のバッグの本体を含む容器を封口するためにファスナーを使用することは一般的に知られていることである。また、プラスチック材料からファスナーデバイスを製造することも、開閉デバイス（又はクロージャデバイス）の分野の様々な特許文献で説明されているように、当業者には一般的に知られていることである。
【０００３】
ファスナーデバイスは、特に、バッグ本体のように可撓性のある容器に取り付けて用いられていることが良く知られている。開閉デバイス及びこれを取り付けたバッグは、熱可塑性材料から形成され、開閉デバイスと容器の側壁は、一体押出成形される。変形的に、開閉デバイスと側壁を別々に成形してから、熱シール又は他の適当な結合手段によりこれらを結合することもできる。バッグ本体にファスナーとして取り付けられた開閉デバイスは、バッグ本体内に物をそのまま入れておくためのクロージャ手段（又は封口手段）として特に有用なものである。
【特許文献１】米国特許第４１８６７８６号
【特許文献２】米国特許第４２８５１０５号
【特許文献３】米国特許第４８２９６４１号
【特許文献４】米国特許第５０７０５８４号
【特許文献５】米国特許第５３０７５５２号
【特許文献６】米国特許第５３６３５４０号
【特許文献７】米国特許第５４０３０９４号
【特許文献８】フランス特許第二０２２８６５号
【特許文献９】米国特許第４７３６４９６号
【特許文献１０】米国特許第５１３８７５０号
【特許文献１１】米国特許第５１４０７２７号
【特許文献１２】米国特許第５４０５４７８号
【特許文献１３】ＥＰ第５１０７９７号
【特許文献１４】米国特許第３１９８２２８号
【非特許文献１】“Coloring of Plastics”（Thomas G. Webber著、John Wiley & Sons、１９７９年、ＩＳＢＮ０−４７１−９２３２７−３）
【発明の開示】
【発明が解決しようとする課題】
【０００４】
在来の開閉デバイスは、雄型と雌型の開閉要素を相互に係合して閉じるものである。在来の開閉デバイスを使用すると、雄型と雌型の開閉要素が閉状態であるか否かがわからないことがある。この問題は、比較的狭い開閉デバイスのときに特に顕著である。従って、在来の開閉デバイスを使用すると、少なくとも開閉デバイスの一部が閉じられていない可能性がある。
【０００５】
この閉状態にあるか否かの問題は、バッグの内部と外部との間をシールするように雄型と雌型の開閉要素で閉じたときのユーザーの認識力がないために生じるものである。この問題に対する多くの解決案が試行されてきた。例えば、特許文献１〜３及び特願昭５１−２７７１９号に、雄型と雌型の開閉要素が確実に閉状態にあることを視覚的に示すことのできるファスナーが記載されている。特に、クロージャの雄型と雌型の部材が閉状態にあることを確かめるための変色手段が与えられている。この変色手段は、それぞれ異なった色の雄型と雌型の部材を使用するものであり、閉じると、異なった色に変色するものである。例えば、クロージャの雌型の部材の色を不透明な黄色とし、クロージャの雄型の部材の色を透明な青色とし、雄型と雌型の部材で閉じると、これらの合成色が緑色となるというものである。この変色手段の使用により、インターロック式の開閉デバイスにおいて、雄型と雌型の部材で閉じられたか否かを確認できるユーザーの能力が向上した。
【０００６】
それぞれ異なった色の雄型と雌型の部材で閉じたときに変色を目視できる市販の製品（ＧＬＡＤ−ＬＯＣＫ（登録商標）、ザ・グラッド・プロダクツ・カンパニー、アメリカ合衆国カリフォルニア州オークランド）がある。この変色効果は、特許文献３に開示されているように、開閉デバイスに変色強調部材を組み入れることにより高めることができる。
【０００７】
しかし、第一のファスナー条片を不透明とし、第二のファスナー条片を半透明とした場合、変色は、開閉デバイスの半透明な側から観察できるだけである。したがって、本発明の一つ目的は、両側から閉じられていることを目視で確認できる開閉デバイスを提供することである。
【０００８】
また、本発明の他の目的は、閉じられていることを目視で確認できる、一方のファスナー条片が透明な開閉デバイスを提供することである。
【０００９】
色弱のユーザーは変色効果を認識することが難しい。よって、本発明のその他の目的は、変色に頼らずに閉じられていることを目視で確認できる開閉デバイスを提供することである。本発明のその他の目的は、開閉デバイスを閉じると出現し又は消失して閉じられていることを目視で確認できる開閉デバイスを提供することである。
【００１０】
従来技術として、表面にスリット又はノッチを有するものがある（例えば、特許文献４〜８参照）。しかし、この従来技術では、スリット又はノッチは、閉じられているか否かを目視で確認するものではない。
【００１１】
本発明のその他の目的は、閉じられていることを目視で確認できるとともに、閉じられていることを触って確認し及び／又は音で確認できる開閉デバイスを提供することである。
【００１２】
例えば、暗いところでは色の変化を見分けることが難しく、このようなときに開閉デバイスを使用するときに、開閉デバイスの利点的な変色効果に問題が生じる。また、視弱又は色弱の人には、変色効果を認識することが難しい。従って、閉状態であることを認識させることのできる他の手段を有する開閉デバイスを提供することが望ましい。
【００１３】
従来技術では、閉状態であることを触るか又は音で確認するファスナーを備える試みがなされてきた。例えば、特許文献７、９〜１３に、インターロックしている開閉要素を触って又はその音で閉じられていることを認識する開閉デバイスが開示されている。この開閉デバイスを閉じると、ユーザーは、完全に閉じられたことを触知でき又は聴き取れる。例えば、特許文献９に、開閉要素のいずれか一方の側に付加したリブを使用することが開示されている。このリブは、閉じているときの“感触”を向上させるものであり、開閉要素を整列させる際にユーザーを補助するものである。
【００１４】
上記の特許文献に示されるデバイスは、閉状態であることを動的に触って確認するものである。つまり、ユーザーは、デバイスを手動で閉じている時点においてのみ、開閉デバイスが正常に機能していることを触知できるものである。このようなデバイスは、閉状態であることを静的に触って確認できるものではない。つまり、閉じた後に、閉状態であることを“感触”として得ることのできるものではない。従って、このような開閉デバイスを備えたプラスチック製のバッグがある人によってシールされた場合、別の人には、このバッグがシールされたか否かを触って確認することができない。このような確認ができる機能を有することが望ましい。
【００１５】
本発明の目的は、閉状態であることを目視で確認できる開閉デバイスを提供することである。本発明の他の目的は、このような開閉デバイスの手段によって封口可能でシール可能な容器を提供することである。
【課題を解決するための手段】
【００１６】
上記目的を達成する本発明の開閉デバイスは、所定の長さにわたってインターロックされるように配置したインターロック式の第一及び第二のファスナー条片を含む。少なくとも一方のファスナー条片は、開閉デバイスが閉じたことを目視可能に指示する手段を有する。これにより、ユーザーが開閉デバイスを閉じる動作をしている間だけでなく、開閉デバイスが閉じた後においても、ユーザーは、開閉デバイスが確実に閉状態にあることを目視で確認することができる。また、閉じると、一方のファスナー条片を変形させる手段を有する。これにより、開閉デバイスが閉状態にあることを触って確認することができる。
【発明の効果】
【００１７】
本発明が以上のように構成されるので、開閉デバイスが閉じているか否かをユーザーが目視で確認できる。また、ユーザーは、開閉デバイスが閉じているか否かを触知できる。
【発明を実施するための最良の形態】
【００１８】
本発明は、インターロック式の開閉デバイスである。本発明の開閉デバイスは、閉状態であることを目視可能に指示する。また、本発明の開閉デバイスは、閉じられると変形し得る。これにより、ユーザーは、開閉デバイスが閉状態にあることを目視で視覚的に確認でき、また触って確認することもできる。一つの実施例では、開閉デバイスは、所定の長さにわたってインターロックされるように配置されたインターロック式の雄型と雌型のファスナー条片を含む。
【００１９】
ここで使用する用語“雄型”と“雌型”の開閉要素は従来技術で一般的に理解されているものである。すなわち、一方の要素が他方の要素にインターロックする開閉要素のうち、外向きに突き出したフック部を有するものを“雄型の開閉要素”といい、内向きに突き出したフック部を有するものを“雌型の開閉要素”という。
【００２０】
ここで使用する用語“エッジグロー（edge glow）効果”は、その周囲の材料と異なる表面変化個所で見られるものであり、第一及び第二の開閉ファスナー条片が閉位置又は開位置にあるときに視覚的にはっきり見えるものである。
【００２１】
本発明の実施例に従って、雄型のファスナー条片は、雄型と雌型のファスナー条片がインターロックされるときに撓む。この撓みにより雄型のファスナー条片が変形し、この変形は、雄型と雌型の開閉要素をインターロックすることで、所定の場所にロックされる。この変形により表面変化個所が開く又は閉じ、閉状態にあることが目視で確認できる。また、この変形により、開閉デバイスが閉状態にあることを触知することができる。
【００２２】
図１は、シール可能な開閉デバイス２１を有するプラスチック製のバッグ２０の形態にある本発明に従った容器を示す。バッグ２０は、開閉デバイス２１の手段でシール可能な収容部が形成されるようにシーム２２で結合した側壁２２を含む。側壁２２は、入口部２７が形成されるように開閉デバイス２１の上方に張り出している。入口部２７は、ユーザーがバッグ２０を握って容易に開閉デバイス２１を引き開いてバッグ２０を開けることができるようにするために設けたものである。
【００２３】
図２及び図３に、本発明の一つの実施例に従った開閉デバイスを示す。開閉デバイスは、雄型のファスナー条片３０と雌型のファスナー条片３１を含む。図２に示すように、雌型のファスナー条片３１は、雌型の開閉要素３４と、雌型の開閉要素３４の各側の雌型のファスナー条片３１上に間隔をあけて設けた一対の雌型の翼部３５とを含む。図３に示すように、雄型のファスナー条片３０は、雌型の開閉要素３４と係合する雄型の開閉要素３６を含み、さらに、雄型の開閉要素３６の各側端の雄型のファスナー条片３０上に間隔をあけて設けた一対の雄型の翼部３７を含む。
【００２４】
雌型の開閉要素３４は、基部３８を含む。基部３８は、基部３８からそれぞれ間隔をあけて平行に突き出した一対のウェブ４０、４１を有する。ウェブ４０、４１は、それぞれ、ウェブ４０、４１から相互に向き合うように突き出した雌型のフック部４２、４４を含む。雌型のフック部４２、４４は、雄型のフック部と係合して開閉デバイスを閉じるためにフック部４２、４４をガイドするガイド面４６、４７を含む。
【００２５】
雄型の開閉要素３６は、基部４７を含む。基部４７は、基部４７から間隔をあけて平行に突き出した一対のウェブ５０、５１を含む。ウェブ５０、５１は、相互に遠ざかるようにウェブ５０、５１から突き出した雄型のフック部５２、５４を含む。雄型のフック部５２、５４は、雌型の開閉要素の雌型のフック部４２、４４と係合して閉じるために、フック部５２、５４をガイドするガイド面４５、５５を含む。ガイド面４５は、丸みのあるクラウン面４５も有する。また、これらフック部は、容器の内部に隣接するフック部４４、４５が開閉デバイスを開放されるのに対する十分な抵抗力を与えるように設計される。基部を容易に変形させるため、ノッチ５６が、雄型の開閉要素の基部４７に設けられている。
【００２６】
基部４７は、第一の色を有する材料からなる。この実施例では、第一の色は不透明なものである。基部４７は、第二の色を有する出現部６５を含む。この第二の色は、基部の第一の色によって包囲されている。例えば、第一の色を青色とし、第二の色を赤色としてもよい。第二の例として、第一の色を白色とし、第二の色を赤色としてもよい。また、第3の例として、第一の色を白色とし、第二の色を黒色としてもよいし、第四の例として、第一の色を赤色とし、第二の色を緑色としてもよい。基部４７は、出現部６５内に伸長する表面変化個所６３を含む。表面変化個所６３は、基部４７の変形も容易にするものであり得る。この実施例では一つの表面変化個所を有するが、基部４７は、二つ、三つ、四つ又はそれ以上の表面変化個所を含んでもよい。また、出現部６５が各表面変化個所に沿って伸長するものであってもよいし、また基部４７が各表面変化個所用に別々の出現部を含んでもよい。また、これら別々の出現部は、第一の出現部の第二の色と異なる色を有してもよい。また、表面変化個所は、ファスナー条片の係合側に設けられてもよいし、またファスナー条片の係合側でない側（非係合側）又は両側に設けられてもよい。また、出現部は、ファスナー条片の長さ（長手方向）に沿って連続的に設けてもよいし、また間欠的な視覚的効果を与えるために、ファスナー条片の長さに沿って不連続的に設けてもよい。また、表面変化個所は、ファスナー条片の長さに沿って連続的に設けてもよいし、また間欠的な視覚的効果を与えるために、ファスナー条片の長さに沿って不連続的に設けてもよい。また、表面変化個所の深さは、表面変化個所の位置と任意の他の表面変化個所の深さに従って変化し得る。また、表面変化個所は、ファスナー条片が開いているときに、その色を隠すように実質的に閉じており、ファスナー条片が閉じているときに、その色を露出させるように開いている。逆に、表面変化個所は、ファスナー条片が開いているときにその色を露出させるように開いており、ファスナー条片が閉じているときに、その色を隠すように実質的に閉じているようにしてもよい。表面変化個所は、図３に示す例では、表面に対して実質的に垂直であるが、表面に対して角度をつけてもよい。また、表面変化個所は、図３に示す例では線形であるが、Ｌ字形、Ｙ字形、蛇行形などの曲線形、又はこれら形状を組み合わせた形状、並びに曲線と直線を組み合わせた形状であってもよい。表面変化個所と出現部は、ここで説明するいずれの実施例でも使用し得るものである。
【００２７】
また、表面変化個所と出現部の位置は基部に限定されない。表面変化個所と出現部は、開閉デバイスの他の位置に設けてもよい。特に、表面変化個所と出現部は、閉じているときに撓み、目視できるような任意の位置に設けられ得る。例えば、図４Ａ及び図４Ｂに示すように、表面変化個所と出現部は、フック部４２Ａ、４４Ｃ、５２Ｂ、５４Ｄ又は翼部３５Ｅ、３５Ｇ、３７Ｆ、３７Ｈに設けられる。特に、表面変化個所６３Ａと出現部６５Ａは、フック部４２Ａに設けられる。開閉デバイスが開いているとき、表面変化個所６３Ａが開いて開状態にあり、出現部６５Ａが出現又は露出している。開閉デバイスが閉じると、フック部４２Ａが撓み、その撓み又は変形位置に維持される。よって、開閉デバイスが閉じると、表面変化個所６３Ａが閉じ、出現部６５Ａが隠される。同様の例が、フック部５２Ｂの表面変化個所６３Ｂと出現部６５Ｂである。逆に、開閉デバイスが開状態にあるときに表面変化個所が閉じ、開閉デバイスが閉状態にあるときに表面変化個所が開いているように、表面変化個所と出現部をフック部に設けることができる。このような例は、フック４４Ｃの表面変化個所６３Ｃと出現部６５Ｃ、及びフック部５４Ｄの表面変化個所６３Ｄと出現部６５Ｄである。
【００２８】
同様に、表面変化個所６３Ｅ、６３Ｆ、６３Ｇ、６３Ｈと出現部６５Ｅ、６５Ｆ、６５Ｇ、６５Ｈが翼部３５Ｅ、３５Ｆ、３５Ｇ、３５Ｈに設けられる。特に、表面変化個所６３Ｅと出現部６５Ｅは翼部３５Ｅに設けられ得る。表面変化個所６３Ｅは、開閉デバイスが開状態にあるときに開いており、出現部６５Ｅを露出させる。開閉デバイスが開状態にあるときに、翼部３５Ｅは、撓み、その撓み又は変形位置に維持される。よって、開閉デバイスが閉じると、表面変化個所６３Ｅが閉じ、出現部６５Ｅを隠す。同様の例が、翼部３７Ｆの表面変化個所６３Ｆと出現部６５Ｆである。逆に、開閉デバイスが開状態であるときに表面変化個所が閉じ、開閉デバイスが閉状態にあるときに表面変化個所が開いているように、表面変化個所と出現部を翼部に設けることができる。このような例は、翼部３５Ｇの表面変化個所６３Ｇと出現部６５Ｇ、及び翼部３７Ｈの表面変化個所６３Ｈと出現部６５Ｈである。
【００２９】
表面変化個所と出現部は、ここで説明するいずれの実施例の開閉デバイスの任意の位置に設けられ得る。例えば、表面変化個所と出現部は、図１６〜図１８Ａに示すスペース部材に設けられ得る。
【００３０】
他の実施例では、基部４７Ｉは、エッジグロー材料からなる（図５Ａ及び図５Ｂ）。この材料は、表面変化個所６３Ｉが開くと、エッジグロー効果を生じる。表面変化個所６３Ｉは、ファスナー条片が図５Ａに示すように開いているときに実質的に閉じて、エッジグロー効果を隠し、ファスナー条片が図５Ｂに示すように閉じているときに開いて、エッジグロー効果を生じさせる。逆に、他の実施例では、表面変化個所は、ファスナー条片が開くと開いてエッジグロー効果を生じさせ、ファスナー条片が閉じると閉じてエッジグロー効果を隠す。また、表面変化個所は、開閉要素の長さに沿って連続してもよいし、また間欠的な視覚的な効果を与えるように開閉要素の長さに沿って不連続であってもよい。また、他の実施例では、出現部は、発光材料を含み得る。表面変化個所と発光材料は、ここで説明するいずれの実施例でも使用できるものである。
【００３１】
その他の実施例では、表面変化個所とエッジグロー材料は、開閉デバイスの他の位置に設けられ得る。特に、表面変化個所とエッジグロー材料は、閉状態にある間に撓み、目視できる任意の場所に位置される。例えば、図６Ａ及び図６Ｂに示すように、表面変化個所とエッジグロー材料は、フック部４２Ｋ、４４Ｍ、５２Ｌ、５４Ｎ又は翼部３５Ｐ、３５Ｒ、３７Ｑ、３７Ｓに位置される。特に、表面変化個所６３Ｋは、フック部４２Ｋに設けられ得る。表面変化個所６３Ｋは、開閉デバイスが開くと開いてエッジグロー効果を生じる。開閉デバイスが閉状態にあると、フック部４２Ｋは、撓み、この撓み又は変形位置を維持する。よって、表面変化個所６３Ｋは、開閉でバイオスが閉状態にあると閉じてエッジグロー効果を隠す。同様の例が、翼部５２Ｌの表面変化個所６３Ｌである。逆に、表面変化個所とエッジグロー材料は、開閉デバイスが開けられると表面変化個所が閉じられ、開閉デバイスが閉状態にあると表面変化個所が開くようにフック部に設けられ得る。このような例は、フック部５４Ｍの表面変化個所６３Ｍとフック部５４Ｎの表面変化個所６３Ｎである。
【００３２】
同様に、表面変化個所６３Ｐ、６３Ｒ、６３Ｑ、６３Ｓが翼部３５Ｐ、３５Ｒ、３７Ｑ、３７Ｓに設けられ得る。特に、表面変化個所６３Ｐは、翼部３５Ｐに設けられ得る。表面変更個所６３Ｐは、開閉デバイスが開状態にあると開いてエッジグロー効果を生じさせる。開閉デバイスが閉状態にあると、翼部３５Ｐは撓み、その撓み又は変形位置に維持される。よって、表面変化個所６３Ｐは、開閉デバイスが閉状態にあると閉じてエッジグロー効果を隠す。同様の例が翼部３７Ｑの表面変化個所６３Ｑである。逆に、表面変化個所とエッジグロー材料は、開閉デバイスが開状態にあると表面変化個所が閉じ、開閉デバイスが閉状態にあると表面変化個所が開くように、翼部に設けられ得る。このような例は、翼部３５Ｒの表面変化個所６３Ｒと翼部３７Ｓの表面変化個所６３Ｓである。
【００３３】
表面変化個所とエッジグロー材料は、ここで説明するいずれの実施例の開閉デバイスのいずれの場所にも位置できる。例えば、表面変化個所とエッジグロー材料は、図１６〜図１８Ａに示すスペース部材２５９に位置できる。
【００３４】
また、ファスナー条片の全体がエッジグロー材料から形成されてもよいし、また表面変化個所の部分だけを他の材料とし、出現部を他の材料としてもよい。例えば、基部だけをエッジグロー材料にしたり、フック部だけをエッジグロー材料にしたり、翼部だけをエッジグロー材料にしたり、また図４Ａ及び図４Ｂに示すように、基部、フック部又は翼部の選択したエリアだけをエッジグロー材料にしてもよい。
【００３５】
ファスナー条片は、図２及び図３に示すように、翼部をさらに含む。図３に示す雄型の翼部３７は、可撓性であり、雄型の開閉デバイス３０よりもファスナー条片の基部からさらに突き出している。各翼部は、翼部３７から外向きに突き出した端部４３で終わっている。二つの翼部が図示されているが、より多数又はより少数の翼部を使用できる（例えば、一つ、三つ、四つ又はそれ以上の翼部）。雄型の翼部３７と係合する一対の雌型の翼部３５が、雌型のファスナー条片に含まれる。雌型の翼部３５は、雌型のファスナー条片３１から突出し、翼部３５から外向きに張り出した端部３９で終わっている。雌方の翼部の個数は、雄型の翼部の個数と同数、多数又は少数であり得る。
【００３６】
図７Ａ〜図７Ｄは、開閉デバイスの閉動作を示す。本発明に従って、圧縮力が、図７Ａ〜図７Ｄに示す矢印６０、６１で示す方向に、対面しているファスナー条片３０、３１に作用する。これら圧縮力は、典型的に、ファスナー条片３０、３１の所望の長さに沿ってユーザーの指で挟んで適用されるものである。ユーザーがファスナー条片を閉じ始めると、図７Ｂに示すように、雄型の翼部３７が基部６２Ａ、６２Ｂに係合する。この位置において、ファスナー条片は、距離６４Ａだけ離れている。ユーザーが続けて力６０、６１を適用すると、雄型の翼部３７は、図７Ｃで示すように雌型の翼部３５が雄型の翼部３７に接触するまで雌型の翼部３５に向けてスライドする。この位置において、ファスナー条片は、距離６４Ｂ（翼部３７の移動により距離６４よりも短い）だけ離れている。また、雌型のフック部４２、４４は、図７Ｃに示すように雄型のフック部５２、５４に接触している。
【００３７】
ファスナー条片を閉位置に維持させるためには、雌型のフック部４２、４４を雄型のフック部５２、５４に係合させなければならない。ユーザーが続けて力６０、６１を適用すると、雌型のウェブ４０、４１は外向きに変形し、雄型のウェブ５０、５１は内向きに変形して、雌型のフック部４２、４４と雄型のフック部５２、５４とが相互にすれ違う。また、これらフック部は、この動作中、変形している。ユーザーが続けて力６０、６１を適用すると、雌型のフック部４２、４４は、図７Ｄに示すように雄型のフック部５２、５４に係合する。この動作中、雄型のファスナー条片の基部は、内向きに変形し、内向き変形部５７を形成する。この変形部５７は維持される。これは、雄型の翼部３７が、基部よりも剛であり、雄型の翼部３７が、翼部３５によって外向きに過度に移動されることを防止するためである。また、変形した基部から及ぼされる力は、フックの係合を解除するのに要する力よりも小さい。基部の変形を容易にするため、ファスナー条片はノッチ５６を含み得る。
【００３８】
基部が内向きに変形すると、図７Ｄに示すように、表面変化個所６３は、開き、出現部６５を露出させる。係合しているファスナー条片３１は、半透明又は透明である。よって、ユーザーは、図１０Ｂに示すように、係合しているファスナー条片３１を通じて出現部の第二の色を目視することができる。閉じる前には、出現部の第二の色は目視可能ではない。これは、基部の第一の色が第二の色を包囲しているからである。閉じた後に、表面変化個所６３が開き、第二の色が目視可能となるので、ユーザーは、閉状態にあることを確認できる。
【００３９】
ファスナー条片は、雄型の翼部３７付近の距離６６と、ファスナー条片の中央部付近の距離６７とに分けられる。距離６６と距離６７の差は、変形部５７の深さ６８である。
【００４０】
図５Ａ及び図５Ｂに示すエッジグローの実施例に関し、閉動作は同様にしてなされる。基部が内向きに変形すると、図５Ｂに示すように、表面変化個所６３Ｉが開き、エッジグロー材料が露出する。係合しているファスナー条片は、半透明又は透明である。よって、エッジグロー効果は、図１０Ｂに示すように、係合しているファスナー条片を通じてユーザーが目視できる。閉じる前には、エッジグロー効果は、表面変化個所６３Ｉが閉じられているので目視できない。表面変化個所６３Ｉが開いて、エッジグロー効果が目視できるので、閉じた後に、ユーザーは、閉状態にあることを確認できる。
【００４１】
本発明のこの実施例に用いられる翼部は、ガイド部材としての働きを有するという付加的な利点を有する。ガイド部材は、“感触”をより向上させ、このようなデバイスの精度をより向上させるために、在来の開閉デバイスに組み入れられ得る。このようなガイド部材は、三角形、四辺形又は他の適当な形状にあり、一般に、開閉要素の一方又は両方に一体的に結合されるように押出成形されるものである。本発明のこの実施例では、翼部は、ファスナー条片が共に段階的に移動するように漏斗式に動作し、雌型の開閉要素が雄型の開閉要素と接触して移動する。
【００４２】
図１０Ａは、雄型のファスナー条片が撓んで形成される内向きの変形部５７を示す。この変形部５７により、開閉デバイスが閉状態にあるか否かを触知することができる。従って、ユーザーは、雄型のファスナー条片に沿って指を動かすだけで、容器が確実にシールされたか否かを確認できる。
【００４３】
上記のように閉状態にあることを目視及び触知して確認することに加えて、閉状態にあることを指示できる他の視覚的な指示手段が与えられる。例えば、雄型と雌型のファスナー条片は、開閉デバイスが閉状態にあることを視覚的に指示するような顔料を含み得る。このような顔料の在来的な使用については、上記のように従来技術で知れている。例えば、雄型の要素は半透明であり、雌型の要素が不透明であり得る。雄型と雌型の要素を閉じると、異なった色となり、閉状態にあることが視覚的にわかる。開閉デバイスは、また、特許文献３に開示されているような変色手段を含み得る。特許文献３は、参照文献としてここに組み入れる。よって、開閉デバイスは、閉状態にあることを視覚的に示す二つの手段を有し得る。第一の視覚的な指示は、上記したように、表面変化個所を開いたときの色である。第二の視覚的な指示は、上記のように、不透明な雌型の要素と透明な雄型の要素とで閉じたときに与えられる異なった色である。
【００４４】
図１１及び図１２は、本発明の他の実施例に従った雄型と雌型のファスナー条片を示す。図１１に示すように、雄型のファスナー条片１３０は、一対の雌型の翼部１５３を含み、図１２に示すように、雌型のファスナー条片１３１は、一対の雄型の翼部１５９を含む。図１１及び図１２に示すファスナー条片により形成される開閉デバイスの機能は、図２〜図９に示す開閉デバイスと同じであるが、開閉デバイスが閉状態にあると、雄型のファスナー条片１３０ではなく雌型のファスナー条片１３１が撓んで内向きの変形部１５７が形成される点で上記のものと異なる。また、雌型のファスナー条片１３１は、出現部１６５を露出させるように開く三つの表面変化個所１６３を有する。図１３Ａは、閉位置にある図１１及び１２に示すファスナー条片によって形成される開閉デバイスを示す。
【００４５】
特に、雌型のファスナー条片１３１は、図２に示す雌型の開閉要素３４と同様の雌型の開閉要素を含む。雌型のファスナー条片１３１は、また、図３に示す雄型の翼部３７と同様の一対の雄型の翼部１５９を含む。雄型のファスナー条片１３０は、図３に示す雄型の開閉要素３６と同様の雄型の開閉要素１３６を含む。雄型のファスナー条片１３０は、また、図２に示す雌型の翼部３５と同様の一対の雌型の翼部１５３を含む。
【００４６】
雌型の開閉要素１３４は、図２に示す基部３８と同様の基部１３８を含み、図２に示すウェブ４０、４１と同様のウェブ１４０、１４１を含む。ウェブ１４０、１４１は、図２に示す雌型のフック部４２、４４と同様の雌型のフック部１４２、１４４を含む。
【００４７】
雄型の開閉要素１３６は、図３に示す基部４７と同様の基部１４７を含み、図３に示すウェブ５０、５１と同様のウェブ１５０、１５１を含む。基部１３８には、図３に示すノッチ５６と同様のノッチ１５６が設けられている。
【００４８】
基部１３８には、表面変化個所６３と出現部６５と同様の表面変化個所１６３と出現部１６５が設けられる。しかし、基部は、ここで説明されるいずれの他の表面変化個所を含んでもよい。例えば、図１３Ｂ及び図１３Ｃに示すように、基部１３８Ａは、エッジグロー材料を含み、表面変化個所１６３Ａは、エッジグロー材料を通じて伸長する。この実施例では、中央の表面変化個所１６３Ａは、その両側の表面変化箇所１６３Ａよりもさらに基部内に伸長する。よって、中央の表面変化個所１６３Ａは、その両側の表面変化箇所１６３Ａよりも深くなっている。
【００４９】
基部が内向きに変形すると、表面変化個所１６３Ａが開き、図１３Ａに示すように、出現部１６５が露出する。係合しているファスナー条片１３０は、半透明又は透明である。よって、ユーザーは、この係合しているファスナー条片１３０を通じて出現部の第二の色を目視できる。閉じる前には、出現部１６５の第二の色は、基部の第一の色が第二の色を包囲しているので、目視できない。閉じた後に、表面変化個所１６３が開いて第二の色を目視可能にするので、ユーザーは、閉じた後に、閉状態にあるか否かを確認できる。
【００５０】
図１３Ｂ及び図１３Ｃに示すエッジグローの実施例に関し、閉動作は同様にしてなされる。基部が内向きに変形すると、表面変化個所１６３Ａが開き、図１３Ｃに示すようにエッジグロー効果が生じる。係合しているファスナー条片は半透明又は透明である。よって、ユーザーは、この係合しているファスナー条片を通じてエッジグロー効果を目視できる。閉じる前には、表面変化個所１６３Ａが閉じられているのでエッジグロー効果を目視できない。閉じると、表面変化個所１６３Ａが開き、エッジグロー効果が生じるので、閉じた後に、ユーザーは、閉状態にあるか否かを確認できる。
【００５１】
図１６は、本発明の開閉デバイスのその他の実施例を示す。この実施例では、開閉デバイスは、視覚的な指示に加えて、確実に閉状態にあるか否かを動的に触知的に指示するために、翼部を係合する複数の突起部を含む。
【００５２】
図１６〜図１８Ａに示す構成成分は、図２〜図９に示すものと同様のものである。図１６を参照する。開閉デバイスは、図２及び図３に示すファスナー条片３０、３１と同様の雄型と雌型のファスナー条片２３０、２３１を含む。雌型のファスナー条片２３１は、図２に示す雌型の開閉要素３１と翼部３５と同様の雌型の開閉要素２３４と一対の翼部２３５を含む。雄型のファスナー条片２３０は、図３に示す雄型の開閉要素３６と翼部３７と同様の雄型の開閉要素２３６と一対の翼部２３７を含む。雌型の開閉要素２３４は、図２に示す基部３８とウェブ４０、４１と同様の基部２３８とウェブ２４０、２４１を含む。ウェブ２４０、２４１は、図２に示すフック部４２、４４と同様のフック部２４２、２４４を含む。雄型開閉要素２３６は、図３に示す基部４７とウェブ５０、５１と同様の基部２４７とウェブ２５０、２５１を含む。ウェブ２５０、２５１は、図３に示すフック部５２、５４と同様のフック部２５２、２５４を含む。基部２４７には、表面変化個所６３と出現部６５と同様の表面変化個所２６３と出現部２６５が設けられている。しかし、基部は、ここで説明される任意の他の表面変化個所の実施例を含み得る。例えば、図１８Ｂ及び図１８Ｃに示すように、基部２４７Ａは、発光材料を含み、表面変化個所２６３Ａは、この発光材料を通じて伸長する。他の実施例では、一方の出現部２６５が、他方の出現部２６５と異なる色を有し得る。また、基部２４７には、図３に示すノッチ５６と同様のノッチ２５６が設けられる。
【００５３】
基部が内向きに変形すると、図１８Ａに示すように、表面変化個所２６３が開き、出現部２６５が露出する。係合しているファスナー条片２３１は半透明又は透明である。よって、ユーザーは、この係合しているファスナー条片２３１を通じて出現部２６５の第二の色を目視できる。閉じる前には、基部２４７の第一の色が第二の色を方位しているので、出現部２６５の第二の色を目視できない。閉じられると、表面変化個所２６３が開き、第二の色が目視できるようになり、ユーザーは、閉じられた後に、閉状態にあるか否かを確認できる。
【００５４】
図１８Ｂ及び図１８Ｃに示すエッジグローの実施例に関し、閉動作は同様にしてなされる。基部が内向きに変形すると、表面変化個所２６３Ａが開き、図１８Ｃに示すように、エッジグロー効果が現れる。係合しているファスナー条片は半透明又は透明である。よって、ユーザーは、この係合しているファスナー条片を通じてエッジグロー効果を目視できる。閉じられる前には、表面変化個所２６３Ａが閉じられているので、エッジグロー効果を目視できない。閉じられると、表面変化個所２６３Ａが開けられ、エッジグロー効果が目視可能になるので、ユーザーは、閉状態にあるか否かを確認できる。
【００５５】
図１６〜図１８Ａに示すこの実施例では、雌型のファスナー条片２３１は、雌型の開閉要素２３４の各側にファスナー条片に沿って間隔をあけて形成した複数の突起部２５８を含む。これら突起部２５８は、雄型の開閉要素の翼部２３７を係合するように間隔があけられている。翼部２３７は、雄型と雌型のファスナー条片が共に接近し合うと、雌型のファスナー条片２３１の長さに沿って段階的に移動する。この段階的な移動をユーザーは触知できる。よって、開閉デバイスを閉じているときに与えられる視覚的な指示と変形部２５７に加えて、開閉デバイスは、確実に閉状態にあることを動的に触知できる指示手段を含むものである。よって、ユーザーは、開閉デバイスが確実に閉状態にあるという“感触”を得ることができる。図１７は、雄型のファスナー条片の翼部が雌型のファスナー条片２３１の一つの突起部２５８を乗り越えて移動したときの図１６に示す開閉デバイスを示す。図１８Ａは、完全に閉じた位置にある図１６の開閉デバイスを示す。
【００５６】
図示のように、雌型のファスナー条片は、四つの突起部を含み、雌型の開閉要素の各側に二個づつ形成されている。しかし、雌型の開閉要素は、より多数又はより少数の突起部を含んでもよい（例えば、一つ、二つ、三つ、四つ又はそれ以上の突起部）。これら突起部は、同じサイズであってもよいし、また異なるサイズであってもよい。例えば、突起部のサイズは、最も外側の突起部を内側のものよりも大きくして、外側の突起部を乗り越えるために翼部を押す力をやや大きくするようにすることができる。変形的に、突起部は、顔料のような着色剤を含み得る。雄型のファスナー条片の翼部が不透明である場合、開閉デバイスが開状態にあるか又は部分的に閉状態にあるときに突起部を見ることができる（ただし、開閉デバイスが完全に閉状態にあるときは、突起部を見ることはできない）。よって、開閉デバイスが閉状態にあることを視覚的に指示できる他の手段が与えられる。最も内側にある突起部を最も外側の突起部と異なる色とすることができ、これにより、ユーザーは、開閉デバイスの閉動作を視覚的に観察できる。確実に閉状態にあることを動的に触知できる指示を与える突起部と翼部の使用は、ここに説明されるいずれの実施例にも適宜に使用できる。
【００５７】
本発明の他の特徴は、ファスナー条片同士の間を所定の間隔にし、同時に、開閉要素の間のテンションを所定のものにするスペース部材２５９である。図１６〜図１８Ａを参照する。基部２３８は、スペース部材２５９を含み、基部２４７は、スペース部材を受ける係合面２６０を含む。スペース部材２５９は、基部から所定の距離だけ突き出し、ウェブ２４０、２４１の間に設けられる。係合面２６０は、ウェブ２５０、２５１の間に設けられ、スペース部材２５９を係合する溝を含む。
【００５８】
図１７を参照する。ユーザーがファスナー条片に力を適用すると、スペース部材２５９は係合面２６０に接触する。ファスナー条片を閉位置に位置させるために、雌型のフック部２４２、２４４は、雄型のフック部２５２、２５４と係合させなければならない。ユーザーが続けて力を適用すると、雌型のウェブ２４０、２４１が外向きに変形し、雄型のウェブ２５０、２５１が内向きに変形し、雌型のフック部２４２、２４４と雄型のフック部２５２、２５４が相互にすれ違う。また、これらフック部は、この動作中、変形し得る。
【００５９】
ユーザーが続けて力を適用すると、図１８Ａに示すように、雌型のフック部２４２、２４４は雄型のフック部２５２、２５４に係合する。この動作中、雄型のファスナー条片の基部は、内向きに変形し、内向きの変形部２５７を形成する。この動作中、スペース部材２５９は、図１８Ａに示すように変形し得る。このスペース部材は、様々な機能を有する。スペース部材２５９は、ファスナー条片同士の間を所定の距離に維持する。また、スペース部材２５９は、変形部２５７が他方のファスナー条片へ過度に接近することを防止し、これにより、変形部２５７を所定の深さに維持する。スペース部材２５９は、雌型のフック部２４２、２４４と雄型のフック部２５２、２５４との間のテンションを維持する。
【００６０】
雄型の翼部２３７が基部よりも剛であり、雄型の翼部２３７が翼部２３５による外向きのさらなる移動を防止するので、変形部２５７は維持される。また、変形された基部と変形されたスペース部材２５９から及ぼされる力は、フック部の係合を解除するのに要する力よりも小さい。基部を容易に変形させるために、ファスナー条片はノッチ２５６を含む。
【００６１】
スペース部材２５９は、図１６〜図１８Ａに示すように、雄型のファスナー条片２３０に設けられ、係合面２６０は雌型のファスナー条片２３１に設けられる。スペース部材２５９と係合面２６０は色を含み、これにより、上記したように、閉状態にあることをユーザーに視覚的に指示することができる。また、スペース部材は、ここで説明されるいずれの実施例にも使用できる。
【００６２】
また、スペース部材２５９と突起部２５８は、独立的にしようできる。例えば、図１９に示す開閉デバイスは、図１６〜図１８Ａと同様のスペース部材２５９Ａを含む（ただし、突起部を含まない）。逆に、図２０に示す開閉デバイスは、図１６〜図１８Ａと同様の突起部２５８Ａを含む（ただし、スペース部材を含まない）。また、図２０は、基部に三つの間隔をあけた出現部が示される。
【００６３】
開閉要素と翼部の他の実施例が与えられ得る。例えば、図２１に示す開閉デバイスでは、雄型のファスナー条片の翼部３７１がＹ字形である。雌型のファスナー条片の翼部３７２は、翼部３７１の溝３７０に係合するように感覚があけられている。図２１を参照する。雌型のファスナー条片３３１は、図２に示す雌型の開閉要素３４と同様の雌型の開閉要素３３４を含む。雌型の開閉要素３３４は、図２に示す基部３８と翼部４０、４１と同様の基部３３８と一対のウェブ３４０、３４１を含む。ウェブ３４０、３４１は、図２に示すフック部４２、４４と同様の雌型のフック部３４２、３４４を含む。ファスナー条片３３１は、開閉要素３３４の各側端に翼部３７２を含む。
【００６４】
雄型のファスナー条片３３０は、図３に示す雄型の開閉要素３６と同様の雄型の開閉要素３３６を含む。雄型の開閉要素３３６は、図３に示す基部４７とウェブ５０、５１と同様の基部３４７と一対のウェブ３５０、３５１を含む。ウェブ３５０、３５１は、図３に示すフック部５２、５４と同様の雄型のフック部３５２、３５４を含む。ファスナー条片３３０は、また、開閉要素３３６の各側端に翼部３７１を含む。翼部３７１は、翼部３７２と係合する溝３７０を含む。
【００６５】
基部３４７には、図３に示す表面変化個所６３と出現部６５と同様の表面変化箇所３６３と出現部３６５を含む。また、基部は、ここで説明される任意の他の表面件か個所の実施例を含み得る。例えば、基部は、発光材料を含み、表面変化個所がこの発光材料を通じて伸長する。
【００６６】
図２１は、閉位置にある開閉デバイスを示す。上記のように、ユーザーは、圧縮力を適用して、開閉デバイスを閉じる。ユーザーがファスナー条片を閉じると、図２１に示すように、雄型の翼部３７１が雌型の翼部３７２に係合する。ファスナー条片を閉位置に維持させるためには、フック部４２、４４、５２、５４に関連して上記したように、雌型のフック部３４２、３４４は、雄型のフック部３５２、３５４に係合させなければならない。この動作中、雄型のファスナー条片の基部が内向きに変形し、内向きの変形部３５７を形成する。雄型の翼部３７１が基部よりも剛であり、雄型の翼部３７１がよく部３７２を係合する溝３７０によって維持されていつので、この変形部３５７は維持される。溝３７０は、翼部３７２に関する翼部３７１の横方向の移動を防止する。基部を容易に変形させるため、ファスナー条片はノッチ３５６を含み得る。
【００６７】
基部が内向きに変形すると、図２１に示すように、表面変化個所３６３が開き、出現部が露出する。係合しているファスナー条片３３１は半透明又は透明である。よって、ユーザーは、この係合しているファスナー条片３３１を通じて出現部３６５の第二の色を目視できる。閉じる前には、基部３４７の第一の色が第二の色を包囲しているので、出現部３６５の第二の色を目視できない。閉状態にあると、表面変化個所３６３が開き、第二の色が目視可能になるので、ユーザーは、閉じた後に、閉状態にあるか否かを確認できる。
【００６８】
本発明の他の実施例では、ノッチは、雄型のファスナー条片の他方の側に設けられる。図２２Ａに示す雄型のファスナー条片４３０は、雄型のファスナー条片４３０の外側に設けたノッチ４５６を含む。ノッチ４５６は、プラスチック製のバッグの側壁２２にも形成され得る。
【００６９】
図２２Ａを参照する。雌型のファスナー条片４３１は、図２に示す雌型の開閉要素３４と同様の雌型の開閉要素４３４を含む。雌型の開閉要素４３４は、図２に示す基部３８とウェブ４０、４１と同様の基部４３８とウェブ４４０、４４１を含む。ウェブ４４０、４４１は、図２に示すフック部４２、４４と同様の雌型のフック部４４２、４４４を含む。ファスナー条片４３１は、図２に示す翼部３５と同様の翼部４３５も含む。
【００７０】
雄型のファスナー条片４３０は、図３に示す雄型の開閉要素３６と同様の雄型の開閉要素４３６を含む。雄型の開閉要素４３６は、図３に示す基部４７とウェブ５０、５１と同様の基部４４７と一対のウェブ４５０、４５１を含む。ウェブ４５０、４５１は、図３に示すフック部５２、５４と同様の雄型のフック部４５２、４５４を含む。ファスナー条片４３は、図３に示す翼部３７と同様の雄部の開閉要素４３６の各側端に翼部４３７を含む。
【００７１】
基部４４７には、図３に示す表面変化個所６３と出現部６５と同様の表面変化個所４６３と出現部４６５が設けられている。また、基部は、ここで説明される任意の他の表面変化個所の実施例を含み得る。例えば、基部は、エッジグロー材料を含み、表面変化個所は、図４Ａ、図４Ｂ、図１３Ｂ、図１３Ｃ、図１８Ｂ及び図１８Ｃに示したように、エッジグロー材料を通じて伸長する。
【００７２】
ファスナー条片４３０は、ファスナー条片４３０の非係合側に設けられるノッチ４５６を含む。これらノッチは、プラスチック製のバッグの側壁２２にも形成される。
【００７３】
閉じている間、上記のように、ユーザーは、圧縮力をファスナー条片に適用している。ユーザーがファスナー条片を閉じると、図２２Ａに示すように、雄型の翼部４３７が雌型の翼部４３５に係合する。ファスナー条片を閉位置に保持させるために、雌型のフック部４４２、４４４は、フック部４２、４４、５２、５４に関連して上記したように、雄型のフック部４５２、４５４に係合させる。この動作中、雄型のファスナー条片の基部は内向きに変形し、内向きの変形部４５７を形成する。雄型の翼部４３７が基部よりも剛であり、雄型の翼部４３７が翼部４３５による過度の外向きの移動を防止するので、変形部４５７は維持される。また、変形した基部により及ぼされる力は、フック部の係合を解除させるのに要する力よりも小さい。ノッチ４５６は、基部の変形を容易にさせる。
【００７４】
基部が内向きに変形すると、表面変化個所４６３は、ズ２２Ａに示すように、開き、出現部４６５を露出させる。係合しているファスナー条片４３１は、返答名又は透明である。よって、ユーザーは、この係合しているファスナー条片４３１を通じて出現部３６５の第二の色を目視できる。閉じる前には、基部３４７の第一の色が第二の色を包囲しているので、出現部３６５の第二の色は目視できない。閉じた後に、表面変化個所４６３が開かれ、第二の色が目視可能となるので、ユーザーは、閉状態にあることを確認できる。
【００７５】
また、ファスナー条片４３０は、付加的な触感を与える。変形部４５７の各側のノッチ４５６は、変形部を維持し、変形部の位置をユーザーに接触させる補助する。また、ノッチは、ノッチの形状の形状に従って、閉じていることを触知させる形状も与え得る。例えば、開閉デバイスが開いているときは、ノッチは狭くなる。開閉デバイスが閉じているときは、ノッチは十分に広くなり、ユーザーは、狭いノッチ（つまり、開いている）と広いノッチ（つまり、閉じている）との間の差を触知できる。
【００７６】
基部の少なくとも一部分がファスナー条片の他の部分よりも剛なので、基部は可撓性であり、変形部を形成できる。基部の剛性は、基部の断面のエリアを減少させることによって小さくできる。このエリアは、その周囲のエリアよりも高い可撓性を有する。小さい断面のエリアは、ノッチを使用することにより達成できるものである。また、小さい断面のエリアは、ファスナー条片の少なくとも一部分を化学的にエッチングすることによって達成できる。この化学的なエッチングは、化学的な溶剤を使用することによって達成できる。例えば、ポリエチレン用の化学的な溶剤は、デコリン（Ｄｅｃｏｌｉｎ）、強硝酸又は強塩基である。
【００７７】
基部の剛性は、同時押出成形などにより、異なる第二の材料からなる基部のエリアを形成させることによっても小さくできる。図２２Ｂを参照する。雄型のファスナー条片４３０Ａは、第一の材料からなる基部４４７Ａと、第二の材料からなる出現部４５６Ａとを含む。第二の材料は、同じ力を適用したときに、第一の材料よりも撓むものである。つまり、第一の材料は、第二の材料と異なる弾性係数を有する。従って、基部は、第二の材料の位置で、より撓み易い。
【００７８】
図２２Ｂを参照。雌型のファスナー条片４３１Ａは、図２２Ａに示す雌型の開閉要素４３４と同様の雌型の開閉要素４３４Ａを含む。雌型の開閉要素４３４Ａは、図２２Ａに示す基部４３８とウェブ４４０、４４１と同様の基部４３８Ａとウェブ４４０Ａ、４４１Ａを含む。ウェブ４４０Ａ、４４１Ａは、図２２Ａに示すフック部４４２、４４４と同様の雌型のフック部４４２Ａ、４４４Ａを含む。ファスナー条片４３１Ａは、図２２Ａに示す翼部４３５と同様の翼部４３５Ａも含む。
【００７９】
雄型のファスナー条片４３０Ａは、図２２Ａに示す雄型の開閉要素４３６と同様の雄型の開閉要素４３６Ａを含む。雄型の開閉要素４３６Ａは、図２２Ａに示す基部４４７とウェブ４５０、４５１と同様の基部４４７Ａと一対のウェブ４５０Ａ、４５１Ａを含む。ウェブ４５０Ａ、４５１Ａは、図２２Ａに示すフック部４５２、４５４と同様の雄型のフック部４５２Ａ、４５４Ａを含む。ファスナー条片４３０Ａは、図２２Ａに示す翼部４３７と同様の、雄型の開閉要素４３６Ａの各側部の翼部４３７Ａを含む。上記のように、ファスナー条片４３０Ａは、出現部４５６Ａを含む。
【００８０】
基部４４７Ａには、図３に示す表面変化個所６３と出現部６５と同様の表面変化個所４６３Ａと出現部４６５Ａを含む。また、基部は、ここで説明される任意の他の表面変化個所の実施例を含み得る。例えば、図２２Ｃに示すように、基部４４７Ｂは、エッジグロー材料を含み、表面変化個所４６３Ｂは、エッジグロー材料を通じて伸長する。
【００８１】
閉じている間、ユーザーは、上記のように、ファスナー条片に圧縮力を適用する。ユーザーがファスナー条片を閉じると、雄型の翼部４３７Ａは、図２２Ｂに示すように、雌型の翼部４３５Ａと係合する。ファスナー条片を閉位置に保持させておくためには、雌型のフック部４４２Ａ、４４４Ａは、フック部４４２、４４４、４５２、４５４に関連して上記したように、雄型のフック部４５２Ａ、４５４Ａと係合させなければならない。この動作中、雄型のファスナー条片の基部は、内向きに変形し、内向きの変形部４５７Ａを形成する。雄型の翼部４３７Ａが基部よりも剛であり、雄型の翼部４３７Ａが翼部４３５Ａによる過度な移動を防止するので、変形部４５７Ａは維持される。また、変形された基部から及ぼされる力は、フック部の係合を解除させるのに要する力よりも小さい。出現部４５６Ａは、基部の変形を容易にさせるものである。
【００８２】
基部が内向きに変形すると、表面変化個所４６３Ａは、図２２Ｂに示すように、開き、出現部４６５Ａを露出させる。係合しているファスナー条片４３１Ａは、半透明又は透明である。よって、閉じる前には、基部３４７Ａの第一の色が出現部４６５Ａの第二の色を包囲しているので、ユーザーは、第二の色を目視できない。ユーザーは、閉じた後に、この係合しているファスナー条片４３１Ａを通じて出現部３６５Ａの第二の色を目視できる。閉じた後に、表面変化個所４６３Ａが開き、第二の色を目視できるようにするので、ユーザーは、閉状態にあることを確認できる。
【００８３】
図２２Ｃに示すエッジグローの実施例に関し、閉動作は同様のやり方でなされる。基部が内向きに変形すると、図２２Ｃに示すように、表面変化個所４６３Ｂは、開き、エッジグロー効果を生じさせる。係合しているファスナー条片は、半透明又は透明である。よって、ユーザーは、係合しているファスナー条片を通じてエッジグロー効果を目視できる。閉じる前には、表面変化個所４６３Ｂが閉じているので、エッジグロー効果を目視できない。閉じた後に、表面変化個所４６３Ｂが開き、エッジグロー効果を目視できるようになるので、ユーザーは、閉状態にあることを確認できる。
【００８４】
また、出現部４５６Ａは、ファスナー条片の長さに沿って連続していてもよいし、また間欠的な変形効果を与えるために、不連続であってもよい。また、第二の材料は、図２２Ｂに示すように、ファスナー条片の長手方向の軸線と平行に配置され得る。他の実施例では、第二の材料は、ファスナー条片の長手方向の軸線と垂直に配置され得る（特許文献１０参照）。図２５Ｂ、図３１Ｂ及び図３７Ｂは、出現部を有する開閉デバイスの他の実施例を示す。
【００８５】
上記のように、変形を容易にするために、ノッチが設けられる。ノッチは、ファスナー条片上の様々な位置に形成できる。図２３を参照する。雄型のファスナー条片５３０は、ウェブ５５０、５５１の間に形成したノッチ５５６Ａを含む。ノッチ５５６Ａは、一つ又はそれ以上の他のノッチ５５６Ｂ、５５６Ｃと関係して使用してもよいし、またノッチ５５６Ａは、他のノッチ５５６Ｂ、５５６Ｃを有さずに使用してもよい。ノッチ５５６Ａは、基部を容易に変形させ、変形部を形成するものである。また、ファスナー条片は、表面変化個所５６３と出現部５６５を含み得る。逆に、ノッチは、雌型のファスナー条片上に変形部を形成するために、雌型のファスナー条片上に含まれ得る。図２４を参照する。雌型のファスナー条片５３１は、ウェブ５４０、５４１の間に形成したノッチ５５６Ｄを含む。ノッチ５５６Ｄは、一つ又はそれ以上の他のノッチ５５６Ｅ、５５６Ｆと関係して使用されてもよいし、また他のノッチを有さずに使用されてもよい。また、ファスナー条片は、表面変化個所５６３と出現部５６５を含み得る。
【００８６】
また、開閉デバイスの両側に変形部を望む場合、ノッチ及び／又は出現部は、雄型と雌型の両方のファスナー条片上に含まれ得る。たとえば、図２５Ａに示すように、開閉デバイスは、開閉デバイスの各側に変形部５５７Ａ、５５７Ｂを形成するために、図２３の雄型のファスナー条片５３０と図２４の雌型のファスナー条片５３１とを含む。他の例では、図２５Ｂに示すように、開閉デバイスは、開閉デバイスの各側に変形部５５７Ｇ、５５７Ｈを容易に形成させるために、出現部５５６Ｇを有する雄型のファスナー条片と、出現部５５６Ｈを有する雌型のファスナー条片とを含む。
【００８７】
雄型及び／又は雌型のファスナー条片上の様々な位置に形成されるノッチは、ここで説明される任意の実施例と一緒に適宜に使用できる。例えば、図２６Ａ、図２６Ｂ、図２６Ｃ、図２６Ｄ及び図２８Ａに示すように、ファスナー条片６３０、６３１は、ファスナー条片の非係合側にノッチ６５６を含む。
【００８８】
ノッチは、様々な形状を有し得る。たとえば、ノッチは、図３に示すように、アーチ形及び線形のセグメントからなり得る。他の実施例として、図１２のノッチ１５６又は図１６のノッチ２５６のようなアーチ形のセグメントからなり得る。その他の例として、ノッチは、図４１Ａ、図４１Ｂ、図４２Ａ及び図４２Ｂのノッチ９５６Ａ、９５６Ｂ、１０５６Ａ、１０５６Ｂのような表面変化個所であり得る。ポリエチレンでは、好適なノッチの深さは、基部の完全性を維持させるために、基部の厚さの１５％以上である。また、ノッチは、ファスナー条片の長さに沿って連続的であってもよいし、また間欠的な変形効果を与えるために、その長さに沿って不連続的であってもよい。
【００８９】
図２６Ａ〜図２６Ｄ、図２７及び図２８Ａに、表面変化個所を有するファスナー条片を示す。図示の表面変化個所は、開閉デバイスが開いているときに開き、開閉デバイスが閉じているときに閉じる。図２６Ａを参照する。基部には、開閉デバイスが開いているときに開かれる表面変化個所６６３と出現部６６５が設けられる。しかし、基部は、ここで説明される任意の他の表面変化個所の実施例を含み得る。例えば、図２６Ｃ、図２６Ｄ及び図２８Ｂに示すように、基部６４７Ａは、エッジグロー材料を含み、表面変化個所６６３Ａは、エッジグロー材料を通じて伸長し得る。
【００９０】
閉じる前には、出現部６６５の第二の色は目視可能である。基部が内向きに変形すると、表面変化個所６６３は、図２６Ｂ、図２７及び図２８Ａに示すように、閉じ、出現部６６５を実質的に隠す。基部６４７の第一の色が第二の色を包囲しているので、出現部は目視できない。閉じた後、表面変化個所６６３が閉じ、第二の色が目視できなくなるので、ユーザーは、閉状態にあることを確認できる。図２８Ａに示すように、表面変化個所６６３が両方のファスナー条片で閉じられるので、ユーザーは、いずれかの側から閉状態にあることを確認できる。
【００９１】
図２６Ｃ、図２６Ｄ及び図２８Ｂに示すエッジグローの実施例に関し、閉じる動作は同様のやり方でなされる。閉じる前には、エッジグロー効果は目視できる。基部が内向きに変形すると、図２６Ｄに示すように、表面変化個所６６３Ａは、閉じ、エッジグロー効果を実質的に隠す。表面変化個所６６３Ａが閉じられているので、エッジグロー効果は目視できない。表面変化個所６６３Ａが閉じられ、エッジグロー効果が目視できなくなるので、閉じた後に、ユーザーは、閉状態にあることを確認できる。図２８Ｂに示すように、表面変化個所６６３Ａが両方のファスナー条片で閉じられるので、いずれかの側から閉状態にあることを確認できる。
【００９２】
他の実施例では、開閉デバイスは、他のタイプの開閉要素を含み得る。図２９を参照する。雄型のファスナー条片７３０は、雄型の開閉要素７３６を含み、雌型のファスナー条片７３１は、雌型の開閉要素７３４を含む。開閉要素７３４、７３６は、既知のものである（特許文献６、９、１１及び１４を参照）。これら開閉要素７３４、７３６は、“アローヘッド（arrowhead）”開閉要素と呼称されることがある。ファスナー条片７３０、７３１ののその他の構成成分（翼部７３５、７３７、基部７３８、７４７及びノッチ７５６）は、図２及び図３に示す同様の符号３５、３７、３８、４７、５６で示す構成成分と同様のものである。ファスナー条片７３０、７３１が閉じると、変形部７５７が、ファスナー条片７３０に沿って形成される。基部７４７には、表面変化個所７６３Ａ〜７６３Ｃと出現部７６５が設けられる。基部の係合側の表面変化個所７６３Ａ、７６３Ｂは、図３に示す表面変化個所６３と出現部６５と同様に、開閉デバイスが開くと閉じ、開閉デバイスが閉じると開く。逆に、基部の係合側の表面変化個所７６３Ｃは、図２６Ａ〜２６Ｄ、図２７及び図２８Ａの表面変化個所６６３と出現部６６５と同様に、開閉デバイスが開かれると開き、開閉デバイスが閉じられると閉じる。しかし、基部は、ここで説明される任意の他の表面変化個所の実施例を含み得る。例えば、図３１Ｃ及び図３１Ｄに示すように、基部７４７Ｇ、７４７Ｈは、エッジグロー材料を含み、表面変化個所７６３Ｇ、７６３Ｇがエッジグロー材料を通じて伸長する。
【００９３】
閉じている間、ユーザーは、上記のように、ファスナー条片に圧縮力を適用する。ユーザーがファスナー条片を閉じると、雄型の翼部７３７は、図２９に示すように、雌型の翼部７３５と係合する。ファスナー条片を閉位置に維持させるために、雌型の開閉要素７３４は雄型の開閉要素７３６と係合する。この動作中、雄型のファスナー条片の基部は内向きに変形し、内向きの変形部７５７を形成する。雄型の翼部７３７が基部よりも剛であり、雄型の翼部７３７が雌型の翼部７３５による過度の外向きの移動を防止するので、変形部は維持される。また、変形された基部から及ぼされる力は、開閉要素の係合を解除するのに要する力よりも小さい。ノッチ７５６は、基部を容易に変形させるものである。
【００９４】
基部が内向きに変形すると、図２９に示すように、表面変化個所７６３Ａ、７６３Ｂが開き、出現部７６５を露出する。係合しているファスナー条片７３１は、半透明又は透明である。よって、ユーザーは、係合しているファスナー条片７３１を通じて出現部７６５の第二の色を目視できる。閉じる前には、基部７４７の第一の色が出現部７６５の第二の色を包囲しているので、第二の色は目視できない。閉じると、表面変化個所７６３Ａ、７６３Ｂが開かれ、第二の色が目視可能となるので、閉じた後に、ユーザーは、閉じられたことを確認できる。
【００９５】
表面変化個所７６３Ｃに関し、閉じる前に、出現部７６５の第二の色が目視可能である。基部が内向きに変形すると、表面変化個所７６３Ｃは、図２９に示すように、閉じ、出現部７６５を実質的に隠す。基部７４７の第一の色が第二の色を包囲しているので、出現部７６５は目視できない。閉じた後に、表面変化個所７６３Ｃが閉じられ、第二の色が目視できなくなるので、ユーザーは、閉じた後に、閉状態にあることを確認できる。図３１Ａ〜図３１Ｄに示すように、非係合側の表面変化個所が両方のファスナー条片で閉じられるので、ユーザーは、いすれかの側から閉状態にあることを確認できる。
【００９６】
図３０〜図３４は、アローヘッド開閉要素７３４、７３６を使用し、変形部、表面変化個所及びノッチを異なる位置に設けた本発明の他の実施例を示す。例えば、図３０は、雌型のファスナー条片上の表面変化個所７６３Ｄと変形部７５７Ｄを示す。図３１Ａは、両方のファスナー条片上のノッチ７５６Ｅ、表面変化個所７６３Ｅ、出現部７６５Ｅ及び変形部７５７Ｅを示す。図３１Ｂは、両方のファスナー条片上の出現部７５６Ｆ、変形部７５７Ｆ、表面変化個所７６３Ｆ及び出現部７６５Ｆを示す。
【００９７】
図３１Ｃは、エッジグローの実施例を示し、基部７４７Ｇが、エッジグロー材料と、エッジグロー材料を通じて伸長する表面変化個所７６３Ｇとを含む。基部７４７Ｇは、ノッチ７５６Ｇも含み、基部は、変形部７５７Ｇを形成している。開閉デバイスが開くと、表面変化個所７６３Ｇが開き、エッジグロー効果が開閉デバイスの両側で目視可能となる。図３１Ｄは、エッジグローの基部７４７Ｈ、出現部７５６Ｈ及び表面変化個所７６３Ｈを有する他のエッジグローの実施例を示す。開閉デバイスが開くと、変形部７５７Ｈが形成され、表面変化個所７６３Ｈが開き、エッジグロー効果が開閉デバイスの両側で目視可能となる。図３２及び図３３は、非係合側の表面変化個所７６３Ｉ、７６３Ｊ及びノッチ７５６Ｉ、７５６Ｊと、一方のファスナー条片のみの変形部７５７Ｉ、７５７Ｊとを示す。図３４は、非係合側の表面変化個所７６３Ｋとノッチ７５６Ｋと、両方のファスナー条片の変形部７５７Ｋとを示す。
【００９８】
図３５〜図４０を参照する。開閉デバイスは、閉状態にあると、外向きに変形し得る。図３５に示すように、開閉デバイス８２１は、図１６に示すファスナー条片２３０、２３１と同様の雄型及び雌型のファスナー条片８３０、８３１を含む。雌型のファスナー条片８３１は、図１６に示す雌型の開閉要素２３１と翼部２３５と同様の雌型の開閉要素８３４と一対の翼部８３５を含む。雄型のファスナー条片８３０は、図１６に示す雄型の開閉要素２３６と翼部２３７と同様の雄型の開閉要素８３６と一対の翼部８３７を含む。雌型の開閉要素８３４は、図１６に示す基部２３８とウェブ２４０、２４１と同様の基部８３８とウェブ８４０、８４１を含む。雄型の開閉要素８３６は、図１６に示す基部２４７とウェブ２５０、２５１と同様の基部８４７とウェブ８５０、８５１を含む。ウェブ８５０、８５１は、図１６に示すフック部２５２、２５４と同様のフック部８５２、８５４を含む。基部８４７には、図１６に示すノッチ２５６と同様のノッチ８５６が設けられる。
【００９９】
基部８４７には、表面変化個所８６３Ａ〜８６３Ｃと出現部８６５が設けられる。基部の係合側の表面変化個所８６３Ａ、８６３Ｂは、図２６Ａ〜図２８Ａに示す表面変化個所６６３と出現部６６５と同様に、開閉デバイスが開けられると開き、開閉デバイスが閉じられると閉じられる。逆に、基部の非係合側の表面変化個所８６３Ｃは、図３に示す表面変化箇所６３と出現部６５と同様に、開閉デバイスが開けられると閉じ、開閉デバイスが閉じられると開く。しかし、基部は、ここで説明される任意の他の表面変化個所の実施例を含み得る。例えば、図３７Ｃ及び図３７Ｄに示すように、基部８４７Ｇ、８４７Ｈは、発光材料を含み、表面変化個所８６３Ｇ、８６３Ｈは、発光材料を通じて伸長する。
【０１００】
スペース部材８５９が、ファスナー条片の間に所定の間隔をあけて設けられ、開閉要素の間に所定のテンションを与える。図３５に示すように、基部８３８は、スペース部材８５９を含み、基部８４７は、このスペース部材のための係合面８６０を含む。スペース部材８５９は、ウェブ８４０、８４１の間に形成され、基部から所定の距離だけ突出しる。係合面８６０は、ウェブ８５０、８５１の間に形成され、スペース部材８５９を係合する溝を含む。
【０１０１】
図３５を参照する。ユーザーがファスナー条片に力を適用すると、スペース部材８５９が係合面８６０に接触する。ファスナー条片を閉位置に維持させるためには、雌型のフック部８４２、８４４は、雄型のフック部８５２、８５４と係合しなければならない。ユーザーが続けて力を適用すると、雌型のウェブ８４０、８４１は、外向きに変形し、雄型のウェブ８５０、８５１は、内向きに変形し、雌型のフック部８４２、８４４と雄型のフック部８５２、８５４とが相互にすれ違う。また、これらフック部は、この動作中に変形する。
【０１０２】
ユーザーが続けて力を適用すると、図３５に示すように、雌型のフック部８４２、８４４が雄型のフック部８５２、８５４と係合する。この動作中、雄型のファスナー条片の基部は、外向きに変形し、外向きの変形部８５７を形成する。この動作中、スペース部材８５９も変形する。スペース部材は、様々な機能を有する。スペース部材は、ファスナー条片の間を所定の距離に維持する。また、スペース部材８５９は、変形部８５７を所定の高さに維持する。また、スペース部材８５９は、雌型のフック部８４２、８４４と雄型のフック部８５２、８５４との間のテンションを維持する。
【０１０３】
雄型の翼部８３７が基部よりも剛であり、雄型の翼部８３７が翼部８３５による過度の外向きの移動を防止するので、変形部８５７は維持される。また、変形された基部と、変形されたスペース部材８５９とから及ぼされる力は、フック部の係合を解除するのに要する力よりも小さい。基部の変形を容易にするために、ファスナー条片はノッチ８５６を含み得る。
【０１０４】
基部が外向きに変形すると、図３５に示すように、表面変化個所８６３Ａ、８６３Ｂは閉じ、出現部８６５を実質的に隠す。係合しているファスナー条片８３１は、半透明又は透明である。よって、ユーザーは、この係合しているファスナー条片８３１を通じて出現部８６５の第二の色を目視できる。閉じた後に、基部８４７の第一の色が出現部の第二の色を包囲するので、第二の色は目視できなくなる。表面変化個所８６３Ａ、８６３Ｂが閉じ、第二の色が目視できないので、ユーザーは、閉状態にあることを確認できる。
【０１０５】
表面変化個所８６３Ｃに関し、出現部８６５の第二の色は、閉じられる前は目視できない。基部が外向きに変形すると、図３５に示すように、表面変化個所８６３Ｃが開き、出現部８６５を露出する。閉じる前に、基部８４７の第一の色が出現部８６５の第二の色を包囲しているので、出現部８６５は目視できない。閉じた後に、表面変化個所８６３Ｃが開き、第二の色が目視できるようになるので、ユーザーは、閉状態にあることを確認できる。図３７Ａ、図３７Ｂ及び図４０に示すように、表面変化個所が両方のファスナー条片で開くので、いずれの側から閉状態にあることをユーザーが確認できる。
【０１０６】
スペース部材８５９と係合面８６０は、上記のように閉状態にあることをユーザーに視覚的に指示する色も含む。また、スペース部材は、ここで説明される任意の実施例で使用できる。
【０１０７】
図３６〜図４０は、スペース部材８５９を使用し、変形部、表面変化個所及びノッチを異なる位置に設けた本発明の他の実施例を示す。例えば、図３６は、雌型のファスナー条片のノッチ８５６Ｄ、表面変化個所８６３Ｄ及び外向きの変形部８５７Ｄを示す。図３７Ａは、両方のファスナー条片のノッチ８５６Ｅ、表面変化個所８６３Ｅ、外向きの変形部８５７Ｅ及び出現部８６５Ｅを示す。図３７Ｂは、両方のファスナー条片の出現部８５６Ｆ、外向きの変形部８５７Ｆ及び出現部８６５Ｆを示す。
【０１０８】
図３７Ｃは、エッジグローの実施例を示し、基部８４７Ｇは、エッジグロー材料と、エッジグロー材料を通じて伸長する表面変化個所８６３Ｇとを含む。基部８４７Ｇは、ノッチ８５６Ｇを含み、基部は、変形部８５７Ｇを形成する。開閉デバイスが閉じられると、表面変化個所８６３Ｇは、開き、エッジグロー効果が開閉デバイスの両側で目視できる。図３７Ｄは、エッジグローの基部８４７Ｈ、出現部８５６Ｈ及び表面変化個所８６３Ｈを有する他のエッジグローの実施例を示す。開閉デバイスが閉じると、変形部８５７Ｈが形成され、表面変化個所８６３Ｈが開き、エッジグロー効果が開閉デバイスの両側で目視できる。図３８及び図３９は、非係合側のノッチ８５６Ｉ、８５６Ｊと、一方のファスナー条片のみの変形部８５７Ｉ、８５７Ｊ及び表面変化個所８６３Ｉ、８６３Ｊとを示す。図４０は、非係合側のノッチ８５６Ｋと、両方のファスナー条片の変形部８４７Ｋ及び表面変化個所８６３Ｋとを示す。また、開閉デバイスは、アローヘッド開閉要素のような他の開閉要素を含み、閉状態にあると、外向きの変形部を形成し得る。
【０１０９】
図４１Ａ及び図４１Ｂは、閉状態にあると内向きに変形する開閉デバイスの他の実施例を示す。開閉デバイス９２１は、雄型のファスナー条片９３０と雌型のファスナー条片９３１を含む。雌型のファスナー条片９３１は、雌型の開閉要素９３４を含む。雌型の開閉要素９３４は、基部９３８と、基部９３８から張り出す一対のウェブ９４０、９４１とを含む。ウェブ９４０、９４１は、ウェブから伸長するフック部９４２、９４４を含む。基部９３８は、係合側の表面変化個所９６３Ａと、非係合側の表面変化箇所９６３Ｂとを含む。
【０１１０】
雄型のファスナー条片９３０は、雄型の開閉要素９３６を含む。雄型の開閉要素９３６は、基部９４７と、基部９４７から張り出す一対のウェブ９５０、９５１とを含む。ウェブ９５０、９５１は、ウェブから伸長するフック部９５２、９５４を含む。雄型のファスナー条片９３０は、雌型の開閉要素のウェブをガイドする翼部９３７も含む。
【０１１１】
この実施例では、バッグの側壁の部分が、視覚的な変化を与える効果を有する。特に、ファスナー条片９３１に接触する側壁２２の部分９２２が第一の色である。この実施例では、第一の色は不透明である。基部９３８は、第二の色を有し、第一の色は、第二の色を実質的に隠す。非係合側の表面変化個所９６３Ｂは側壁の部分９２２を通じ、基部９３８伸長する。この実施例では、ファスナー条片が閉じると表面変化個所９６３Ｂが実質的に閉じ、基部１０４７の第二の色を隠す。ファスナー条片が開くと表面変化個所９６３Ｂが開き第二の色が露出する。側壁の第一の色と基部の第二の色との組合せにより、出現部を必要とせずに、視覚的な変化が達成できる。他の実施例では、基部は、エッジグロー材料を含み、側壁の部分の第一の色を不透明とする必要がなく、透明とすることができる。
【０１１２】
図４１Ｂは、内向きに変形し、閉位置にある開閉デバイス９２１を示す。ユーザーがファスナー条片に力を適用すると、ウェブ９４０、９４１が外向きに変形し、フック部が相互にすれ違う。また、フック部は、この動作中に変形する。ユーザーが続けて力を適用すると、図４１Ｂに示すように、フック部は係合する。この動作中、基部９３８は内向きに変形し、内向きの変形部９５７を形成する。
【０１１３】
ウェブ９４０、９４１、９５０、９５１が基部９３８よりも剛なので、変形部９５７は維持される。特に、ファスナー条片９３１が開位置にあるとき、フック部９５２、９５４の間の距離は、ウェブ９４０、９４１の間の距離よりも大きい。ウェブ９４０、９４１は、フック部９５２、９５４にわたって係合するため、相互に離れる。これらウェブは、基部９３８と比較して剛であり、ウェブ９４０、９４１は、相互に離れる。この実施例では、基部は、ノッチ９５６Ａ、９５６Ｂのため、剛性が小さくなっている。特に、ノッチ９５６Ａが開いて基部の係合面を増大し、ノッチが閉じて基部の非係合面を減少させる。変形された基部から及ぼされる力は、フック部の係合を解除するのに要する力よりも小さい。
【０１１４】
基部が内向きに変形すると、図４１Ｂに示すように、表面変化個所９６３Ｂは閉じ、基部９３８を隠す。閉じる前に、基部９３８の第二の色は目視できる。閉じた後、表面変化個所９６３Ｂは閉じられ、第二の色が目視できないので、ユーザーは、閉状態にあることを確認できる。
【０１１５】
他の実施例では、基部９３８は、エッジグロー材料を含む。閉じる前に、表面変化個所９６３Ｂは開き、図４１Ａに示すように、エッジグロー効果を目視できる。基部が内向きに変形すると、図４１Ｂに示すように、表面変化個所９６３Ｂが閉じ、エッジグロー効果を実質的に隠す。表面変化個所９６３Ｂが閉じられるので、エッジグロー効果は目視できない。閉状態にあると、表面変化個所９６３Ｂが閉じられ、エッジグロー効果が目視できなくなるので、ユーザーは、閉状態にあることを確認できる。
【０１１６】
また、基部９３８が内向きに変形すると、図４１Ｂに示すように、表面変化個所９６３Ａが開き、エッジグロー効果を現す。係合しているファスナー条片は半透明又は透明である。よって、ユーザーは、係合しているファスナー条片を通じてエッジグロー効果を目視できる。閉じる前に、図４１Ｂに示すように、表面変化個所９６３Ａは閉じられるので、エッジグロー効果は目視できない。閉じた後、表面変化個所９６３Ａが開き、エッジグロー効果が目視できるようになるので、ユーザーは、閉状態にあることを確認できる。
【０１１７】
図４２Ａ及び図４２Ｂは、図４１Ａ及び図４１Ｂに示す実施例と同様の開閉デバイスの他の実施例を示す。しかし、図４２Ａ及び図４２Ｂに示す開閉デバイスは、出現部９６５Ｃを含む。出現部９６５Ｃは、第三の色を与え得る。他の実施例では、第三の色を有する出現部と第二の色を有する基部９３８Ｃとの組合せにより、第一の色を側壁９２２Ｃから排除できる。第三の実施例では、第三の色を有する出現部と第一の色を有する側壁との組合せにより、第二の色を基部から排除できる。また、第四の実施例では、第一、第二及び／又は第三の色が発光材料であり得る。
【０１１８】
図４３Ａ及び図４３Ｂは、閉状態にあるときに外向きに変形する開閉デバイスの他の実施例を示す。開閉デバイス１０２１は、雄型のファスナー条片１０３０と雌型のファスナー条片１０３１を含む。雌型のファスナー条片１０３１は、雌型の開閉要素１０３４を含む。雌型の開閉要素１０３４は、基部１０３８と、基部１０３８から突き出す一対のウェブ１０４０、１０４１とを含む。
【０１１９】
雄型のファスナー条片１０３０は、雄型の開閉要素１０３６を含む。雄型の開閉要素１０３６は、基部１０４７と、基部１０４７から突き出す一対のウェブ１０５０、１０５１とを含む。ウェブ１０５０、１０５１は、ウェブから伸長するフック部１０５２、１０５４とを含む。雄型のファスナー条片１０３０は、翼部１０３７を含み、雌型の開閉要素のウェブをガイドする。基部１０４７は、係合側に表面変化個所１０６３Ａを含み、非係合側に表面変化箇所１０６３Ｂを含む。
【０１２０】
この実施例では、バッグの側部の部分が、視覚的な変化を与える効果を与えるように使用される。特に、ファスナー条片１０３０に接触する側壁２２の部分１０２２は、第一の色である。この実施例では、第一の色は不透明である。基部１０４７は、第二の色を有し、第一の色は、第二の色を実質的に隠す。非係合側の表面変化個所１０６３Ｂは、側壁の部分１０２２を通じて基部１０４７に伸長する。この実施例では、表面変化個所１０６３Ｂは、実質的に閉じられ、ファスナー条片が開かれているときに基部１０４７の第二の色を隠し、ファスナー条片が閉じられているときに開いて第二の色を露出する。側壁の部分の第一の色と基部の第二の色との組合せにより、出現部を必要とせずに視覚的な変化を達成できる。他の実施例では、基部はエッジグロー効果を含み、側壁の部分の第一の色が不透明である必要がなく、透明であってもよい。
【０１２１】
図４３Ｂは、外向きの変形部を有する閉位置にある開閉デバイス１０２１を示す。ユーザーがファスナー条片に力を適用すると、雄型のウェブ１０５０、１０５１が内向きに変形し、フック部が相互にすれ違う。また、フック部は、この動作中、変形する。ユーザーが続けて力を適用すると、図４３Ｂに示すように、フック部は係合する。この動作中、基部１０４７は、外向きに変形し、外向きの変形部１０５７を形成する。
【０１２２】
ウェブ１０４０、１０４１、１０５０、１０５１が基部１０４７よりも剛なので、変形部１０５７が維持される。特に、フック部１０４２、１０４４の間の距離は、ファスナー条片１０３０が買い位置にあるときにウェブ１０５０、１０５１の間の距離よりも短い。ウェブ１０５０、１０５１は、相互に接近し、フック部１０４２、１０４４の間を係合させる。これらウェブは、基部１０４７と比較して剛性であり、よって、ウェブ１０５０、１０５１は、相互に接近する。この実施例では、基部は、ノッチ１０５６Ａ、１０５６Ｂのため、剛性が小さい。ノッチは、基部を外向きに変形させ、変形部を形成する。特に、ノッチ１０５６Ｂが開き、基部の非係合面を増大し、ノッチ部１０５６Ａが閉じ、基部の係合面を減少させる。変形された基部から及ぼされる力は、フック部の係合を解除するのに要する力よりも小さい。
【０１２３】
基部が外向きに変形すると、図４３Ｂに示すように、表面変化個所１０６３Ｂが開き、基部１０４７を露出させる。閉じる前に、側壁の部分１０２２の第一の色が第二の色を隠しているので、基部１０４７の第二の色は目視できない。あけられると、表面変化個所１０６３Ｂが開かれ、第二の色が目視できるので、閉状態にあることをユーザーは確認できる。
【０１２４】
他の実施例では、基部１０４７はエッジグロー材料を含む。閉じる前に、表面変化個所１０６３Ｂが閉じられ、図４３Ａに示すように、エッジグロー効果は目視できない。基部が外向きに変形すると、図４３Ｂに示すように、表面変化個所１０６３Ｂが開き、エッジグロー効果を現す。表面変化個所１０６３Ｂが開かれると、エッジグロー効果が目視できるようになる。閉じられると、表面変化個所１０６３Ｂが開かれ、エッジグロー効果が目視できるようになるので、閉状態にあることをユーザーが確認できる。
【０１２５】
また、基部１０４７が外向きに変形すると、図４３Ｂに示すように、表面変化個所１０６３Ａが閉じ、エッジグロー効果を隠す。係合するファスナー条片は半透明又は透明である。よって、ユーザーは、係合するファスナー条片を通じてエッジグロー効果を目視できる。閉じる前に、図４３Ａに示すように表面変化個所１０６３Ａが開かれているので、エッジグロー効果は目視可能である。閉じられた後に、表面変化個所１０６３Ａが閉じられ、エッジグロー効果が目視できないので、閉状態にあることをユーザーは確認できる。
【０１２６】
図４４Ａ及び図４４Ｂは、図４３Ａ及び図４３Ｂに示す実施例と同様の開閉デバイスの他の実施例を示す。しかし、図４４Ａ及び図４４Ｂの開閉デバイスは、出現部１０６５Ｃを含む。出現部１０６５Ｃは、第三の色を与える。他の実施例では、第三の色を有する出現部と第二の色を有する基部１０４７Ｃとの組合せにより、第一の色が側壁１０２２Ｃから排除できる。第三の実施例では、第三の色を有する出現部と、第一の色を有する側壁との組合せにより、第二の色を基部から排除できる。また、第四の実施例では、第一、第二及び／又は第三の色は発光材料である。
【０１２７】
図４５Ａ及び図４６Ａを参照する。開閉デバイスは、開閉デバイスが閉じたときに多数の変形部を含む。図４５Ａでは、開閉デバイス１１２１は、二つの打ち向きの変形部１１５７を含む。開閉デバイス１１２１は、基部１１４７が付加的な可撓性を有する以外は、図１９の開閉デバイスと同様である。また、開閉デバイスは、表面変化個所１１６３と出現部１１６５を含む。図４６Ａでは、開閉デバイスは、フック部の開閉要素に対するアローヘッド開閉要素１２３４、１２３６を使用する以外は、図４５Ａの開閉デバイスと同様である。開閉デバイスは、表面変化個所１２６３と出現部１２６５を含む。
【０１２８】
図４５Ｂ及び図４６Ｂは、図４５Ａ及び図４６Ａのエッジグローの実施例の一例を示す。基部１１４７Ａ、１２４７Ａは、エッジグロー材料と、エッジグロー材料を通じて伸長する表面変化個所１１６３Ａ、１２６３Ａとを含む。開閉デバイスが閉じられると、表面変化個所１１６３Ａ、１２６３Ａは開かれ、エッジグロー硬化が目視できる。
【０１２９】
図４７Ａ〜図４８Ｂを参照する。開閉デバイスは、視覚的に変化する効果を与えることのできる表面変化個所を含む。図４７Ａ及び図４７Ｂに示すように、開閉デバイスは、雄型のファスナー条片１３３０と雌型のファスナー条変１３３１を含む。雄型のファスナー条片１３３０は、雄型の開閉要素１３３６を含み、雌型のファスナー条片１３３１は、雌型の開閉要素１３３４を含む。これら開閉要素は、図２９の開閉要素７３４、７３６と同様であるが、雄型の開閉要素１３３６は、表面変化個所１３６３と出現部１３６５を含む。また、雌型の開閉要素１３３４は、表面変化個所１３６３を容易に開ける突起部１３３５を含む。
【０１３０】
雄型の開閉要素は、第一の色を有する材料からなる。この実施例では、第一の色は不透明である。雄型の開閉要素１３３６は、第二の色を有する出現部を含む。第二の色は、開閉要素の第一の色いよって包囲されている。開閉要素は、出現部１３６５に伸長する表面変化個所１３６３を含む。この実施例は二つの表面変化個所を有するが、開閉要素は、一つ、三つ、四つ又はそれ以上の表面変化個所を含んでもよい。また、出現部が各表面変化個所に沿って伸長してもよく、また開閉要素が各表面変化個所のための別々の出現部を含んでもよい。また、別々の出現部は、第一の出現部の第二の色と異なる色を有してもよい。また、出現部は、開閉要素に沿って連続していてもよいし、また開閉要素の長さに沿って不連続であってもよい。同様に、表面変化個所は、開閉要素の長さに沿って連続していてもよいし、また開閉要素の長さに沿って不連続であってもよい。図４７Ａに示すように、ファスナー条片が開けられると表面変化個所１３６３が開き、その色を隠し、図４７Ｂに示すように、ファスナー条片が閉じられると表面変化個所１３６３は開き、その色を露出する。表面変化個所を有する開閉要素は、ここで説明される任意の実施例で使用され得る。
【０１３１】
閉じている間、上記のように、ユーザーはファスナー条片に圧縮力を適用する。ユーザーがファスナー条片を閉じると、雌型の開閉要素１３３４は、雄型の開閉要素１３３６と係合する。図４７Ｂに示すように、表面変化個所１３６３が開き、出現部１３６５を露出する。この実施例では、係合するファスナー条片１３３１は半透明又は透明である。よって、ユーザーは、この係合するファスナー条片１３３１を通じて出現部の第二の色を目視できる。閉じる前に、開閉要素１３３６の第一の色は第二の色を方位しているので、出現部１３６５の第二の色は目視できない。閉じた後に、表面変化個所１３６３が開き、第二の色を目視可能にするので、閉じられたことをユーザーは目視できる。図４８Ａ及び図４８Ｂを参照する。開閉要素は、視覚的に変化する効果を達成するために、表面変化個所を含む。
【０１３２】
図４８Ａ及び図４８Ｂは、図４７Ａ及び図４７Ｂのエッジグローの実施例の一例を示し、雄型の開閉要素１３３６Ａは、エッジグロー材料からなり、表面変化個所１３６３Ａは、エッジグロー材料を通じて伸長する。この材料は、表面変化個所１３６３Ａが開かれるとエッジグロー効果を示す。閉じる前に、図４８Ａに示すように、表面変化個所１３６３Ａは閉じられ、エッジグロー効果は目視できない。閉じた後に、図４８Ｂに示すように、表面変化個所１３６３Ａは開き、エッジグロー効果が、係合するファスナー条片を通じて目視可能になる。よって、エッジグロー効果が目視可能なので、閉状態にあることをユーザーは視覚的に確認できる。
【０１３３】
図４９及び図５０は、それぞれ、本発明の開閉デバイスの一つの実施例の雌型と雄型のファスナー条片を示す。様々なパラメーターのそれぞれの寸法を下記の表１に示す。
【０１３４】
【表１】
2007537786.tif 000003
【０１３５】
図５１及び図５４Ｂを参照する。開閉要素は、開閉デバイスの長手方向の軸線と垂直な表面変化個所を含む。図５１〜図５４Ｂは、知る可能な開閉デバイス１５２１を有するプラスチック製のバッグの形態にある本発明に従った容器の他の実施例を示す。バッグ１５２０は、開閉デバイス１５２１の手段でシール可能に内部を形成するようにシーム１５２５で結合した側壁１５２２を含む。側壁１５２７は、マウス部（入口部）１５２７を形成するように、開閉デバイス１５２１の上方に張り出している。入口部１５２７は、ユーザーが開閉デバイス１５２１をより容易に開閉できるようにプラスチック製のバッグ１５２０を握ってバッグ１５２０を開くことができるようにするものである。開閉デバイス１５２１は、ファスナー条片１５３０、１５３１を含む。
【０１３６】
図５１、図５２Ａ及び図５２Ｂに示すように、ファスナー条片１５３０、１５３１、ファスナー条片に隣接する側壁１５２２及び入口部１５２７は、開閉デバイスが開けられると相互に外向きに変形する。図５２Ｂに示すように、ファスナー条片１５３０、１５３１、ファスナー条片に隣接する側壁１５２２及び入口部１５２７は、開閉デバイスが閉じられると相互に平行となる。
【０１３７】
図５３Ａ及び図５３Ｂは、開けられると外向きに変形する開閉デバイスの実施例を示す。開閉デバイス１５２１は、第一のファスナー条片１５３０と第二のファスナー条片１５３１を含む。第一のファスナー条片１５３０は、第一の開閉要素１５３６を含む。第一の開閉要素１５３６は、基部１５４７を含む。第二のファスナー条片１５３１は、第二の開閉要素１５３４を含む。第二の開閉要素１５３４は、基部１５３８を含む。開閉要素１５３４、１５３６は、ここで説明する実施例のうちのいずれかのものである。基部は、非係合側に表面変化個所１５６３を含む。
【０１３８】
この実施例では、バッグの側壁の部分は、視覚的に変化する効果を与えるために使用される。特に、ファスナー条片１５３１に接触する側壁１５２２の部分は、第一の色である。この実施例では、第一の色は不透明である。基部１５３８は、第二の色を有し、第一の色は、第二の色を実質的に隠す。非係合側の表面変化個所１５６３は、側壁の部分１５２２を通じて伸長し、基部１５３８内に伸長する。この実施例では、ファスナー条片が閉じられると表面変化個所１５４７が閉じて基部１５４７の第二の色を隠し、ファスナー条片が開かれると表面変化個所１５４７が開いて第二の色を露出する。側壁の部分の第一の色と、基部の第二の色の組合せにより、視覚的な変化が達成される。他の実施例では、基部は、エッジグロー材料を含み、側壁の部分の第一の色は、不透明である必要がなく、透明であってもよい。
【０１３９】
図５３Ａは、外向きの変形部を有し、開位置にある開閉デバイス１５２１を示す。ユーザーがファスナー条片に力を適用すると、ファスナー条片１５３０、１５３１は、図５３Ｂに示すように、内向きに移動し、相互に平行となる。基部が内向きに移動すると、表面変化個所１５６３は、図５３Ｂに示すように、閉じて、バース部１５３８、１５４７を隠す。閉じる前に、表面変化個所１５６３が閉じられ、第二の色が目視できないので、閉状態にあることをユーザーが確認できる。
【０１４０】
他の実施例では、基部１５３８、１５４７は、エッジグロー材料を含む。閉じる前に、図５３Ａに示すように、表面変化個所１５６３は開かれ、エッジグロー効果が目視できる。基部が内向きに移動すると、図５３Ｂに示すように、表面変化個所１５６３が閉じ、エッジグロー効果を実質的に隠す。エッジグロー効果は、表面変化個所１５６３が閉じられているので目視できない。閉じた後に、スリット１５６３が閉じられ、エッジグロー効果が目視可能なので、閉状態にあることをユーザーが確認できる。
【０１４１】
図５４Ａ及び図５４Ｂは、図５３Ａ及び図５３Ｂの実施例と同様の開閉デバイスの他の実施例を示す。しかし、図５４Ａ及び図５４Ｂの開閉デバイスは、出現部１５６５Ｃを含む。出現部１５６５Ｃは、第三の色を与える。他の実施例では、第三の色を有する出現部と、第二の色を有する基部１５３８Ｃ、１５４７Ｃとの組合せにより、側壁１５２２Ｃから第一の色を排除できる。第三の実施例では、第三の色を有する出現部と、第一の色を有する側壁との組合せにより、基部から第二の色を排除できる。また、第四の実施例では、第一、第二及び／又は第三の色は発光材料である。
【０１４２】
ファスナー条片は、上記に近似した寸法の成形型を通じて押出成形して製造される。成形型は、冷却により、押出成形したファスナー条片が収縮するので、ファスナー条片の所望とする最終的な寸法よりもやや大きめである。開閉デバイスのファスナー条片は、近似的に一様な断面を有するように製造される。これは、デバイスの製造を容易簡単にするだけでなく、いずれの場合においても所望の性質であり、ファスナー条片に変形部を形成する必要のあるデバイスの物理的な可撓性に寄与する。
【０１４３】
一般に、本発明の開閉要素は、例えば、ポリエチレン、ポリプロピレン、ナイロン等、又はこれらを組み合わせた熱可塑性材料から形成され得る。よって、高密度ポリエチレン、中密度ポリエチレン及び低密度ポリエチレンのような樹脂又は樹脂の混合物が、本発明の新規なファスナーを製造するのに使用できる。好適に、開閉要素は、低密度ポリエチレンからなる。特許請求の範囲に記載のような開閉デバイスの機能性を与えることができるように、熱可塑性材料の選択は、開閉デバイスのデザイン、ヤング係数、所望の弾性率及び可撓性に関係する。
【０１４４】
本発明で使用する発光材料としては、様々な適当な材料が使用できる。一般に、機能性からみると、発光材料を使用した特定の開閉デバイスの環境で発光する任意の発光材料が使用できる。当然に、特定の応用のための選択は、その意図とする応用に影響され得る。
【０１４５】
一般に、発光材料は、非特許文献１に記載されている。非特許文献１（第二０７〜２０８頁）に、発光材料は以下の段落０１４６〜段落０１４７のように記載されている。
【０１４６】
発光は、１セットの波長の放射エネルギーを吸収し、長い波長の光を放射する染料又は顔料の能力である。そのプロセスは本質的に瞬時である。反射率の分離と発光の測定には特殊な機器が必要である。
【０１４７】
特定のタイプの発光剤は、漂白剤のように、３００〜４００ｎｍの範囲の紫外線を吸収し、約４００ｎｍの青色を放射する。これらは、有機成分であり、染色と考えられる。
【０１４８】
さらに、非特許文献１には、発光剤と対照的に、これから得ることのできるデーライト（daylight）発光染色及び顔料を有する。これら材料は、通常の感覚で色づけされる。また、これらは、紫外線又は短波長の日光を吸収し、目視可能な光を放射する。よって、非常に高い反射率であり、色づけされた材料が現れる。染色の二つの原理的なクラスは、赤色領域を補強するローダミンと、黄緑アミノナフタリミド誘導体である（非特許文献の第２１０頁参照）。
【０１４９】
一般に、有用な発光材料は、発光デーライト材料と呼称されることがある。このような材料は、色の光を選択的に反射するだけでなく、日光又は同等の白色光により励起されてさらに発光する能力を有する。例外的に、デーライト発光染色は、色を有するだけでなく溶液中での発光力を高めることのできる顔料剤を含む無色の樹脂の粒子を含む。この樹脂は、顔料の溶剤である。例えば、一つの樹脂系では、熱可塑性樹脂が顔料を含む。室温に冷却して、この樹脂を非常に脆くし、細かく粉砕する。ここで、用語“顔料”は、物質のいずれの類似点に無関係にスペクトルの可視領域の高い光吸収性を示す任意の有機物質に適用するものである。長年にわたって使用されてきた顔料として、ローダミンやロザミン類のブリリアント・レッド及びサーモン顔料が発光染色として使用される。デーライト発光染色として使用される重要な顔料剤の他の例として、キシレン・レッド（Xylene Red）Ｂ、発光イエローＹ、マクシロン（Maxilon）１０ＧＦＦアルベルタ・イエロー（Alberta Yellow）、ポトマック・イエロー（Potomac Yellow）及びマクロレックス（Macrolex）発光イエロー１０ＧＮがある。
【０１５０】
閉位置にあるか又は開位置にあるかを識別するためのエッジグロー効果を達成する発光材料を使用すると、エッジグロー効果は、開閉要素の特定の光学的な性質及び構成材料（例えば、選択したプラスチック、色素など）の物理的な特性を含む様々な要因に影響される。開閉要素の光散乱性も重要であり、開閉要素の溝の深さ、ガイド部材の有無、開閉要素の幅などに影響される。
【０１５１】
発光材料は、所望の任意の方法で、開閉要素の部分又は適当な要素に組み入れられ得る。一つの適当な方法は、抗酸化剤などのような他の添加材を含有させるのと同様に、開閉要素のプラスチック材料に発光材料を単に組み入れるだけのものである。
【０１５２】
下記に本発明に用いることのできる市販品を示すが、本発明はそれに限定されるものではない。一つのサンプルは、製品名「Ｃ−６２３８９Ａ／ＰＣ  Ｅｄｇｅ  Ｇｌｏｗ  Ｇｒｅｅｎ」（Chroma Corporation of McHenry、アメリカ合衆国イリノイ州）である。他のサンプルは、製品名「Ｌｕｍｏｇｅｎ  Ｆ  Ｒｅｄ  Ｄｙｅ」（BASF Corporation of Rensselaer、アメリカ合衆国ニューヨーク州）である。
【０１５３】
本発明のファスナーがシール可能なバッグに使用されると、ファスナー、及びバッグの本体を形成するフィルムは、熱シール可能な材料からなる。よって、バッグは、上記の構成成分を熱シールすることによって経済的に形成でき、開閉要素を形成する上記のタイプの熱可塑性材料を使用してバッグを形成できる。好適に、バッグは、高圧、低密度ポリエチレン及び線状低密度ポリエチレンの混合物からなる。
【０１５４】
本発明の開閉要素は、押出成形法又は他の既知の方法によって製造できる。開閉デバイスは、跋扈にファスナー条片を製造し、これをフィルムに取りつけて製造されるか、又はファスナー条片をフィルムと一体化して製造できる。また、開閉要素は、意図とする用途又は期待される付加的な製造工程に従って開閉要素の一方又は両方にフランジの部分を有するように又はフランジの部分の無いように製造できる。
【０１５５】
一般に、本発明の開閉デバイスは、意図とする用途に適するように、様々な形に製造できる。本発明の実用的な例では、開閉デバイスは、任意の多くの方法によって、容器の側壁と一体的に形成され、又は容器に結合され得る。例えば、熱電デバイスが開閉要素のフランジの部分に接触してフィルムに適用されてもよいし、また熱電デバイスがフランジを有さない開閉要素の基部に接触してフィルムに適用され、フィルムを通じて熱を伝えて、フィルムとフランジの部分又は開閉要素の基部との相互に向き合った面を溶融してもよい。熱電デバイスは、加熱回転ディスク、移動加熱バンド、抵抗加熱スライドワイヤーなどである。フィルムと開閉要素との間の結合は、熱溶融、内面への熱風ジェットの吹付け、超音波加熱又は他の既知の方法によりなされる。フィルムストックへの開閉要素の結合は、フィルムをＵ字形に折り返してバッグを形成する前又は後になされる。いずれの場合においても、このような結合は、在来の熱切断によりエッジでバッグの側部をシールする前になされる。また、雄型と雌型の開閉要素は、フィルムの対面した側部に位置決めされる。このような実施例は、ワイヤーのような物の収集や物のラッピングに適している。フィルム上の雄型と雌型の開閉要素は、一般に、相互に平行であるが、これは、意図とする用途に依存する。
【０１５６】
本発明の特定的な実施例を示したが、変更物が、特に、上記の教示に従って当業者になされ得ることから、本発明は、それに限定されない。したがって、本発明の精神及び範囲内にある改良物の本質的な特徴を構成する特徴物を組み入れる任意のこのような変更物が添付の特許請求の範囲に含まれる。
【図面の簡単な説明】
【０１５７】
【図１】図１は、プラスチック製のバッグの形態にある本発明に従った容器の斜視図である。
【図２】図２は、本発明の開閉デバイスの雌型のファスナー条片の図１の２−２線断面図である。
【図３】図３は、本発明の開閉デバイスの雄型のファスナー条片の図１の２−２線断面図である。
【図４】図４Ａは、開位置にある図２及び図３のファスナー条片の他の実施例の断面図であり、図４Ｂは、閉位置にある図４Ａのファスナー条片の他の実施例の断面図である。
【図５】図５Ａは、開位置にある図２及び図３のファスナー条片の他の実施例の断面図であり、図５Ｂは、閉位置にある図５Ａのファスナー条片の他の実施例の断面図である。
【図６】図６Ａは、開位置にある図２及び図３のファスナー条片の他の実施例の断面図であり、図６Ｂは、閉位置にある図６Ａのファスナー条片の他の実施例の断面図である。
【図７】図７Ａ、図７Ｂ及び図７Ｃは、図２及び図３の雄型と雌型のファスナー条片の様々な位置における断面図であり、図７Ｄは、閉位置にある図２及び図３のファスナー条片の断面図であり、雄型のファスナー条片は、視覚的変化個所を有し、閉位置にあるときに内向きに変形する。
【図８】図８は、雌型の開閉要素と一対の翼部を含む図２の雌型のファスナー条片の斜視図である。
【図９】図９は、雄型の開閉要素と一対の翼部を含む図３の雄型のファスナー条片の斜視図である。
【図１０】図１０Ａは、閉位置にある本発明の開閉デバイスの斜視図であり、開閉デバイスが閉じたときに内向きに変形し、１０Ｂは、閉位置にある開閉デバイスの上面図であり、視覚的変化個所を示す。
【図１１】図１１は、雄型の開閉要素と、雄型の開閉要素の核側端の一対の翼部とを含む本発明に従った開閉デバイスの他の実施例の雄型のファスナー条片の断面図である。
【図１２】図１２は、視覚的変化個所と、雌型の開閉要素と、雌型の開閉要素の各側端の一対の翼部とを含む、図１１の雄型のファスナー条片が嵌め込まれる本発明の雌型のファスナー条片の断面図である。
【図１３】図１３Ａは、閉じたときに図１１及び図１２の雄型と雌型のファスナー条片により形成される開閉デバイスの断面図であり、視覚的変化個所を有し、開閉デバイスが閉じたときに変形し、図１３Ｂは、開位置にある図１１及び図１２のファスナー条片の他の実施例の断面図であり、図１３Ｃは、閉位置にある図１３Ｂの開閉デバイスの断面図である。
【図１４】図１４は、雄型の開閉要素と、雄型の開閉要素の各側端の一対の翼部とを有する図１１の押す型のファスナー条片の斜視図である。
【図１５】図１５は、視覚的変化個所と、雌型の開閉要素と、雌型の開閉要素の各側端の一対の翼部とを有する図１２の雌型のファスナー条片の斜視図である。
【図１６】図１６は、本発明の開閉デバイスの断面図であり、雌型のファスナー条片が、視覚的変化個所と、雌型の開閉要素と、雌型の開閉要素の各側端の一対の翼部と、各欲部と雌型の開閉要素との間の複数の突起部と、スペーサー部材とを含む。
【図１７】図１７は、閉位置にある図１６の開閉デバイスの断面図である。
【図１８】図１８Ａは、完全に閉じたときの図１６の開閉デバイスの断面図であり、図１８Ｂは、開位置にある図１６の開閉デバイスの他の実施例の断面図であり、図１８Ｃは、閉位置にある図１８Ｂの開閉デバイスの断面図である。
【図１９】図１９は、視覚的変化個所とスペーサー部材を含む他の実施例の断面図である。
【図２０】図２０は、視覚的変化個所と複数の突起部を含む他の実施例の断面図である。
【図２１】図２１は、雄型のファスナー条片の翼部が断面Ｙ字形である本発明の開閉デバイスを示す。
【図２２】図２２Ａは、ファスナー条片の非係合側面にノッチを形成した本発明の開閉デバイスの他の実施例の断面図であり、図２２Ｂは、本発明の開閉デバイスの断面図であり、出現部を有し、内向に変形しているところを示し、図２２Ｃは、図２２Ｂの開閉デバイスの他の実施例の断面図である。
【図２３】図２３は、ウェブとウェブとの間にノッチを有する本発明の開閉デバイスの他の実施例の断面図である。
【図２４】図２４は、ウェブとウェブとの間にノッチを有する本発明の開閉デバイスの他の実施例の断面図である。
【図２５】図２５Ａは、ファスナー条片の両方が変形する他の実施例の断面図であり、図２５Ｂは、ファスナー条片の両方が変形し、出現部を有する他の実施例の断面図である。
【図２６】図２６Ａは、開位置にある他の実施例の断面図であり、ファスナー条片の非係合側面視覚的変化個所を示し、図２６Ｂは、閉位置にある図２６Ａの実施例の断面図であり、図２６Ｃは、開位置にある図２６Ａの開閉デバイスの他の実施例の断面図であり、図２６Ｄは、閉位置にある図２６Ｃの開閉デバイスの断面図である。
【図２７】図２７は、視覚的変化個所と、ファスナー条片の非係合側面上のウェブとウェブとの間のノッチとを含む本発明の他の実施例の断面図である。
【図２８】図２８Ａは、視覚的変化個所を有し、ファスナー条片の非係合側面上にノッチを有し、ファスナー条片の両方が変形する他の実施例の断面図であり、図２８Ｂは、閉位置にある図２８Ａの開閉デバイスの他の実施例の断面図である。
【図２９】図２９は、視覚的変化個所と他のタイプの開閉要素とを含む他の実施例の断面図である。
【図３０】図３０は、図２９の開閉要素を含む他の実施例の断面図である。
【図３１】図３１Ａは、視覚的変化個所を有し、ファスナー条片の両方が変形する他の実施例の断面図であり、図３１Ｂは、視覚的変化個所と出現部を有し、ファスナー城辺の両方が変形する他の実施例の断面図であり、図３１Ｃは，閉位置にある開閉デバイスの他の実施例の断面図であり、図３１Ｄは、閉位置にある開閉デバイスの他の実施例の断面図である。
【図３２】図３２は、視覚的変化個所を有し、一方のファスナー条片が変形する他の実施例の断面図である。
【図３３】図３３は、視覚的変化個所を有し、一方のファスナー条片が変形する他の実施例の断面図である。
【図３４】図３４は、視覚的変化個所を有し、両方のファスナー条片が変形する他の実施例の断面図である。
【図３５】図３５は、視覚的変化個所を有し、一方のファスナー条片が外向きに変形する他の実施例の断面図である。
【図３６】図３６は、視覚的変化個所を有し、一方のファスナー条片が外向きに変形する他の実施例の断面図である。
【図３７】図３７Ａは、視覚的変化個所を有し、両方のファスナー条片が外向きに変形する他の実施例の断面図であり、図３７Ｂは、視覚的変化個所と出現部を有し、両方のファスナー条片が外向きに変形する他の実施例の断面図であり、図３７Ｃは、閉位置にある開閉デバイスの他の実施例の断面図であり、図３７Ｄは、閉位置にある開閉デバイスの他の実施例の断面図である。
【図３８】図３８は、視覚的変化個所を有し、一方のファスナー条片が外向きに変形する他の実施例の断面図である。
【図３９】図３９は、視覚的変化個所を有し、一方のファスナー条片が外向きに変形する他の実施例の断面図である。
【図４０】図４０は、視覚的変化個所を有し、両方のファスナー条片が外向きに変形する他の実施例の断面図である。
【図４１】図４１Ａは、開位置にある開閉デバイスの他の実施例の断面図であり、図４１Ｂは、閉位置にあるときに、一方のファスナー条片が内向きに変形する図４１Ａの開閉デバイスの断面図である。
【図４２】図４２Ａは、開位置にある開閉デバイスの他の実施例の断面図であり、図４２Ｂは、閉位置にあるときに、一方のファスナー条片が内向きに変形する図４２Ａの開閉デバイスの断面図である。
【図４３】図４３Ａは、視覚的変化個所を有する、開位置にある開閉デバイスの他の実施例の断面図であり、図４３Ｂは、視覚的変化個所を有し、閉位置にあるときに一方のファスナー条片が変形する図４３Ａの開閉デバイスの断面図である。
【図４４】図４４Ａは、視覚的変化個所を有する、開位置にある開閉デバイスの他の実施例の断面図であり、図４４Ｂは、視覚的変化個所を有し、閉位置にあるときに一方のファスナー条片が変形する図４４Ａの開閉デバイスの断面図である。
【図４５】図４５Ａは、視覚的変化個所を有し、一方のファスナー条片が変形する開閉デバイスの他の実施例の断面図であり、図４５Ｂは、閉位置にある開閉デバイスの他の実施例の断面図である。
【図４６】図４６Ａは、視覚的変化個所を有し、一方のファスナー条片が変形する開閉デバイスの他の実施例の断面図であり、図４６Ｂは、閉位置にある開閉デバイスの他の実施例の断面図である。
【図４７】図４７Ａは、一方の開閉要素に視覚的変化個所を有する、開位置にある開閉デバイスの他の実施例の断面図であり、図４７Ｂは、閉位置にある図４７Ａの開閉デバイスの断面図であり、視覚的変化個所を示す。
【図４８】図４８Ａは、一方の開閉要素に視覚的変化個所を有する、開位置にある開閉デバイスの他の実施例の断面図であり、図４８Ｂは、閉位置にある図４８Ａの開閉デバイスの断面図であり、視覚的変化個所を示す。
【図４９】図４９は、本発明の開閉デバイスの雌型のファスナー条片を示す。
【図５０】図５０は、本発明の開閉デバイスの雄型のファスナー条片を示す。
【図５１】図５１は、プラスチック製のバッグの形態にある本発明の容器の他の実施例の斜視図である。
【図５２】図５２Ａは、開位置にある図５１の容器の上面図であり、図５２Ｂは、閉位置にある図５１の容器の上面図である。
【図５３】図５３Ａは、図５２Ａの５０−５０線断面図であり、開位置にある第一の実施例を示し、図５３Ｂは、閉位置にある図５３Ａの実施例の断面図である。
【図５４】図５４Ａは、開位置にある第二の実施例の断面図であり、図５４Ｂは、閉位置にある図５４Ａの実施例の断面図である。
【符号の説明】
【０１５８】
２０・・・バッグ
２１・・・開閉デバイス
２２・・・側壁
２７・・・入口部
３０・・・雄型のファスナー条片
３１・・・雌型のファスナー条片
３４・・・雌型の開閉要素
３５・・・雌型の翼部
３６・・・雄型の開閉要素
３７・・・雄型の翼部
３８・・・基部
４０、４１・・・ウェブ
４２、４４・・・雌型のフック部
４６、４７・・・ガイド面
５０、５１・・・ウェブ
５２、５４・・・雄型のフック部
５５・・・ガイド面
５６・・・ノッチ
６３・・・表面変化個所
６５・・・出現部
【図１】
2007537786.tif 000004
【図２】
2007537786.tif 000005
【図３】
2007537786.tif 000006
【図４】
2007537786.tif 000007
【図５】
2007537786.tif 000008
【図６】
2007537786.tif 000009
【図７】
2007537786.tif 000010
【図８】
2007537786.tif 000011
【図９】
2007537786.tif 000012
【図１０】
2007537786.tif 000013
【図１１】
2007537786.tif 000014
【図１２】
2007537786.tif 000015
【図１３】
2007537786.tif 000016
【図１４】
2007537786.tif 000017
【図１５】
2007537786.tif 000018
【図１６】
2007537786.tif 000019
【図１７】
2007537786.tif 000020
【図１８】
2007537786.tif 000021
【図１９】
2007537786.tif 000022
【図２０】
2007537786.tif 000023
【図２１】
2007537786.tif 000024
【図２２】
2007537786.tif 000025
【図２３】
2007537786.tif 000026
【図２４】
2007537786.tif 000027
【図２５】
2007537786.tif 000028
【図２６】
2007537786.tif 000029
【図２７】
2007537786.tif 000030
【図２８】
2007537786.tif 000031
【図２９】
2007537786.tif 000032
【図３０】
2007537786.tif 000033
【図３１】
2007537786.tif 000034
【図３２】
2007537786.tif 000035
【図３３】
2007537786.tif 000036
【図３４】
2007537786.tif 000037
【図３５】
2007537786.tif 000038
【図３６】
2007537786.tif 000039
【図３７】
2007537786.tif 000040
【図３８】
2007537786.tif 000041
【図３９】
2007537786.tif 000042
【図４０】
2007537786.tif 000043
【図４１】
2007537786.tif 000044
【図４２】
2007537786.tif 000045
【図４３】
2007537786.tif 000046
【図４４】
2007537786.tif 000047
【図４５】
2007537786.tif 000048
【図４６】
2007537786.tif 000049
【図４７】
2007537786.tif 000050
【図４８】
2007537786.tif 000051
【図４９】
2007537786.tif 000052
【図５０】
2007537786.tif 000053
【図５１】
2007537786.tif 000054
【図５２】
2007537786.tif 000055
【図５３】
2007537786.tif 000056
【図５４】
2007537786.tif 000057